(57)【要約】【課題】  知的財産保護の対象となる創作物の保護を支援する仕組みを提供する。【解決手段】  知的財産保護支援装置１は、クリエイタ端末３から知的財産保護の対象となる知財情報の登録要求を受け付け、登録許可情報をクリエイタ端末３に対して返信する。クリエイタ端末３は、登録許可情報の受け付けに応じて保存された知財情報を知的財産保護支援装置１に対して送信し登録を依頼する。知的財産保護支援装置１は、受付けた知財情報をクリエイタごとに予め設けられた登録領域に登録する。また、知的財産保護支援装置１は、閲覧者端末５から知財情報の閲覧要求を受付けると、知財情報の一部だけを閲覧者端末５に対して開示する。次いで、知的財産保護支援装置１は、閲覧者端末５から開示された知財情報の開示度向上要求を受け付けると、この開示段階向上要求情報をその知財情報に関連付けて記憶すると共に、知財情報を開示度を上げて閲覧者端末５に対して開示する。【選択図】図１
2006313431.tif 000002
【特許請求の範囲】
【請求項１】
知的財産保護の対象となるコンテンツデータを含む知財情報を創作するクリエイタが利用するクリエイタ端末と知財情報の閲覧を希望する閲覧者が利用する閲覧者端末と通信可能に接続されたシステムであって、
上記クリエイタ端末から登録要求された知財情報と、当該クリエイタのクリエイタ識別情報とを受信して受付ける手段と、
上記受付けた知財情報をクリエイタ識別情報に関連付けて、クリエイタごとに予め設けられた登録領域を有する知財情報記憶手段に登録する手段と、
上記閲覧者端末から、上記登録された知財情報の閲覧要求を受信して受付ける手段と、
上記記憶手段を参照して、上記閲覧要求された知財情報を、開示する情報量が少ない状態から情報量が多くなる状態へと段階的に開示する手段と、
上記閲覧者端末から、当該閲覧者識別情報と共に、開示される知財情報の情報量を多くすることを要求する開示度向上要求を受信して受付ける手段と、
上記受付けた閲覧者識別情報及び開示段階向上要求情報を上記知財情報ごとに関連付けて履歴情報記憶手段に記憶する手段と、
上記受付けた開示段階向上要求に応じ、登録された知財情報を開示する情報量を多くして上記閲覧者端末に対して開示する手段と、
を有することを特徴とする知的財産保護支援システム。
【請求項２】
上記知財情報は、識別情報と保存日時情報とをさらに含み、
上記クリエイタ端末から受付けた知財情報を登録領域に登録する手段は、上記登録領域に先に保存された知財情報の存否を判断し、上記登録領域に先に保存された知財情報がある場合には、直近保存日時の知財情報に含まれる識別情報を取得し、取得した識別情報を関連識別情報として新たに登録する知財情報に含めて登録する、
ことを特徴とする請求項１に記載の知的財産保護支援システム。
【請求項３】
上記知財情報の識別情報は、上記直近の知財情報に基づいて生成したハッシュ値である、
ことを特徴とする請求項２に記載の知的財産保護支援システム。
【請求項４】
上記クリエイタ端末に保存された知財情報は、クリエイタ端末に先に保存されていた知財情報を利用して創作されたものの場合、利用した知財情報の表示時にその固有の識別情報を取得し、取得した識別情報を関連識別情報として新たに創作された更新保存する知財情報に含めて保存されたものである、
ことを特徴とする請求項１に記載の知的財産保護支援システム。
【請求項５】
上記登録許可情報は、登録条件の設定を求める登録設定情報を含み、
上記知財情報を受付ける手段は、知財情報とともに上記登録設定情報を受付ける、
ことを特徴とする請求項１から４の何れか１項に記載の知的財産保護支援システム。
【請求項６】
上記閲覧者端末は、取得した知財情報に対して行われた印刷、編集などの処理の種類とその処理が行われた時間の情報を含む利用情報取得して、上記コンピュータに対して送信する手段を有しており、
上記閲覧者端末から送信された利用情報を受信して、履歴情報記憶手段に記憶する手段を更に有する、
ことを特徴とする請求項１から５の何れか１項に記載の知的財産保護支援システム。
【請求項７】
知的財産保護の対象となるコンテンツデータを含む知財情報を創作するクリエイタが利用するクリエイタ端末と知財情報の閲覧を希望する閲覧者が利用する閲覧者端末と通信可能に接続されたコンピュータにより行われる方法であって、
上記コンピュータが、
上記クリエイタ端末から登録要求された知財情報と、当該クリエイタのクリエイタ識別情報とを受信して受付ける処理と、
上記受付けた知財情報をクリエイタ識別情報に関連付けて、クリエイタごとに予め設けられた登録領域を有する知財情報記憶手段に登録する処理と、
上記閲覧者端末から、当該閲覧者識別情報と共に、開示される知財情報の情報量を多くすることを要求する開示度向上要求を受信して受付ける処理と、
上記受付けた閲覧者識別情報及び開示段階向上要求情報を上記知財情報ごとに関連付けて履歴情報記憶手段に記憶する処理と、
上記受付けた開示段階向上要求に応じ、登録された知財情報を開示する情報量を多くして上記閲覧者端末に対して開示する処理と、
を行うことを特徴とする知的財産保護支援方法。
【請求項８】
上記知財情報には、識別情報と保存日時情報とをさらに含み、
上記コンピュータは、
上記登録領域に先に保存された知財情報の存否を判断し、上記登録領域に先に保存された知財情報がある場合には、直近保存日時の知財情報に含まれる識別情報を取得し、取得した識別情報を関連識別情報として新たに登録する知財情報に含めて登録する処理をさらに有する、
ことを特徴とする請求項７に記載の知的財産保護支援方法。
【請求項９】
上記コンピュータは、保存される知財情報が先に保存されていた知財情報を利用して創作されたものの場合、利用した知財情報の表示時にその固有の識別情報を取得し、取得した識別情報を関連識別情報として新たに創作された更新保存する知財情報に含めて保存する処理をさらに有する、
ことを特徴とする請求項７に記載の知的財産保護支援方法。
【請求項１０】
上記コンピュータは、知財情報とともに当該知財情報を登録する際の条件を表す登録設定情報を受付ける、
ことを特徴とする請求項７から９の何れか１項に記載の知的財産保護支援方法。
【請求項１１】
上記閲覧者端末は、取得した知財情報に対して行われた印刷、編集などの処理の種類とその処理が行われた時間の情報を含む利用情報取得して、上記コンピュータに対して送信する手段を有しており、
上記コンピュータは、
上記閲覧者端末から送信された利用情報を受信して、履歴情報記憶手段に記憶する処理を行う、
ことを特徴とする請求項７から１０の何れか１項に記載の知的財産保護支援方法。
【請求項１２】
知的財産保護の対象となるコンテンツデータを含む知財情報を創作するクリエイタが利用するクリエイタ端末と知財情報の閲覧を希望する閲覧者が利用する閲覧者端末と通信可能に接続されたコンピュータを、知財情報保護装置として機能させるためのコンピュータプログラムであって、
上記コンピュータに対して、
上記クリエイタ端末から登録要求された知財情報と、当該クリエイタのクリエイタ識別情報とを受信して受付ける処理と、
上記受付けた知財情報をクリエイタ識別情報に関連付けて、クリエイタごとに予め設けられた登録領域を有する知財情報記憶手段に登録する処理と、
上記閲覧者端末から、当該閲覧者識別情報と共に、開示される知財情報の情報量を多くすることを要求する開示度向上要求を受信して受付ける処理と、
上記受付けた閲覧者識別情報及び開示段階向上要求情報を上記知財情報ごとに関連付けて履歴情報記憶手段に記憶する処理と、
上記受付けた開示段階向上要求に応じ、登録された知財情報を開示する情報量を多くして上記閲覧者端末に対して開示する処理と、
を実行させるコンピュータプログラム。
【発明の詳細な説明】
【技術分野】
【０００１】
本発明は、知的財産保護の対象となる知財情報が模倣または盗用された場合における上記知財情報を創作したクリエイタの権利保護を支援するシステムと方法、及びプログラムに関するものである。
【背景技術】
【０００２】
知的財産保護の対象となる知財情報の一つとして、例えば著作物がある。この著作物は、法律により創作時点で発生すると明記されているが、現実には、著作権が発生しているからといっても、その時に何もせずいると、いとも簡単に模倣または盗用（以下、単に「模倣等」という。）されてしまう。すなわち、創作した客観的な証明がなければ、創作したデザインやコンテンツを他人が模倣等しても権利主張することは極めて難しく、何も文句が言えずに泣き寝入りとなってしまうのが現実である。しかも、模倣等した故意過失の立証は難しく、また、模倣等した相手に対して力関係が弱かったりした場合、勝手に使われて悔しい思いをするクリエイタは多い。
【０００３】
そのため、知的財産保護の対象となる知財情報を創作したクリエイタの権利保護を支援する手段として、例えば、著作権者よって作成されたコンテンツデータのコンテンツＩＤと、当該コンテンツデータの権利情報である著作権情報とを電子透かしとして埋め込み、このコンテンツデータを編集著作者が編集することによって作成された新たな編集コンテンツデータには、著作権者が作成したコンテンツに関する原コンテンツＩＤ情報と、編集著作者が編集により作成したコンテンツに関する編集コンテンツＩＤ情報とを電子透かしとして埋め込むことにより、編集により作成されたコンテンツデータ毎にその作成のために利用された個々のコンテンツデータの著作権を証明できるようにしたものがある（特許文献１参照）。
また、新規デジタルコンテンツを作成し、著作権管理サーバに対し既存のデジタルコンテンツの二次利用の許諾たる二次利用ライセンスを要求し、二次利用ライセンスを取得し、取得した二次利用ライセンスを用いて既存のデジタルコンテンツをカプセルから抽出し、抽出した既存のデジタルコンテンツと新規に作成したデジタルコンテンツとを格納した新たなカプセルを生成し、新規カプセルに格納されたデジタルコンテンツの二次利用を許諾する二次利用ライセンスの登録を著作権管理サーバに要求することで、デジタルコンテンツの直接的な使用、閲覧の著作権管理とともに、二次利用されているデジタルコンテンツの使用、閲覧の著作権管理を実現するようにしたものもある（特許文献２参照）。
【特許文献１】特開２００４−１３９１８４号公報
【特許文献２】特開２００１−３２５３８７号公報
【発明の開示】
【発明が解決しようとする課題】
【０００４】
しかしながら、上述の手段では、何れも著作権を証明することはできるものの、著作権等知的財産保護の対象となる情報が閲覧され、模倣等された場合に、その閲覧した事実を証明することができない。したがって、創作したデザインやコンテンツ等を他人が模倣または盗用しても、権利主張することは極めて難しい。
また、上述の手段では、著作権が証明されるのは完成した最終著作物に対してであり、模倣等した著作物であっても上記手段によって登録してしまえば、著作権が認められてしまう虞がたぶんに有り、本当に創作した事実を証明する創作過程を証明することができないものである。
なお、著作権等の創作事実を証明し得る手段として、公証役場の証明や文化庁の登録を利用する場合があるが、これらは確かに高い信用性は有るが、公開性は全くないか極めて低く、しかも証明や登録に時間や多くの費用を要し、クリエイタが日常利用するには簡便性に欠けるものである。
【０００５】
このように、知的財産保護の対象となる知財情報を創作するクリエイタが一番懸念しているデザインやコンテンツ等の模倣等に対処し、正当な権利者であるクリエイタの権利保護を支援するようにした手段は現在までのところ何ら提案されていない。
【０００６】
本発明は、上記の事情に基づきなされたもので、その目的とするところは、クリエイタが手軽かつ確実に、自らの創作物を登録することができ、また、この創作物を他人が閲覧した事実を証明すること、及び創作物の創作過程を証明することによって模倣または盗用を抑制し、クリエイタの権利を守ることができることを支援する仕組みを提供することにある。
【課題を解決するための手段】
【０００７】
本発明の請求項１に記載の知的財産保護支援援システムは、知的財産保護の対象となるコンテンツデータを含む知財情報を創作するクリエイタが利用するクリエイタ端末と知財情報の閲覧を希望する閲覧者が利用する閲覧者端末と通信可能に接続されたシステムであって、上記クリエイタ端末から登録要求された知財情報と、当該クリエイタのクリエイタ識別情報とを受信して受付ける手段と、上記受付けた知財情報をクリエイタ識別情報に関連付けて、クリエイタごとに予め設けられた登録領域を有する知財情報記憶手段に登録する手段と、上記閲覧者端末から、上記登録された知財情報の閲覧要求を受信して受付ける手段と、上記記憶手段を参照して、上記閲覧要求された知財情報を、開示する情報量が少ない状態から情報量が多くなる状態へと段階的に開示する手段と、上記閲覧者端末から、当該閲覧者識別情報と共に、開示される知財情報の情報量を多くすることを要求する開示度向上要求を受信して受付ける手段と、上記受付けた閲覧者識別情報及び開示段階向上要求情報を上記知財情報ごとに関連付けて履歴情報記憶手段に記憶する手段と、上記受付けた開示段階向上要求に応じ、登録された知財情報を開示する情報量を多くして上記閲覧者端末に対して開示する手段とを有することを特徴とする。
【０００８】
この知的財産保護の対象となる知財情報とは、デザイナや写真家、小説家、随筆家、ライタ、映像作家、画家、漫画家、イタストレータ、設計士、音楽家といったクリエイタによって創作された、例えば、画像、映像、図面、動画、漫画、ＣＧといったイメージや、音声、テキスト、ソフトウェア、あるいはそれらの複合化されたコンテンツ、及びノウハウや営業上の秘密情報をいい、最初からデジタルデータ化されているものの他、アナログデータをデジタル変換したものも含むものである。
【０００９】
また、知財情報を登録する、クリエイタごとに予め設けられた登録領域とは、知財情報の登録を希望する者が、知財情報の登録前に氏名や住所、性別、生年月日、電話番号、電子メールアドレス、職業といった会員となるための個人情報からなる所定の登録情報を入力・送信することによって開設される、いわゆるマイページを称されるクリエイタ専用の記憶部をいう。
【００１０】
また、登録された知財情報を段階的に開示するとは、最初は表題や要約または小さなサムネイル画像といった、登録された知財情報の一部だけを開示し、開示度向上要求によって登録された知財情報の公開率を高め、最終的に登録された知財情報を全てはっきりと開示することをいう。また、開示された知財情報の開示度向上要求とは、表示されている表題や要約または小さなサムネイル画像をクリック等して選択する、登録された知財情報の公開率アップや開示されている知財情報の拡大を求める行為をいう。
【００１１】
このように、知的財産保護の対象となる知財情報を登録し、登録された知財情報を一度に全て開示するのではなく、閲覧者からの知財情報の開示段階向上要求に応じ、登録された知財情報を段階的に少しずつ開示するようにし、その際、受付けた開示段階向上要求情報をその知財情報に関連付けて記憶するようにしたことで、単にサイトを表示した行為ではなく、閲覧者が内容を閲覧する意思を持って知財情報を開示させた行為の記録をすることにより、閲覧者が知財情報を閲覧した事実の証明をすることができる。
したがって、閲覧した知財情報の無断での模倣等を抑制し、クリエイタの権利を守ることができる
【００１２】
また、上記知財情報は、識別情報と保存日時情報とをさらに含み、上記クリエイタ端末から受付けた知財情報を登録領域に登録する手段は、上記登録領域に先に保存された知財情報の存否を判断し、上記登録領域に先に保存された知財情報がある場合には、直近保存日時の知財情報に含まれる識別情報を取得し、取得した識別情報を関連識別情報として新たに登録する知財情報に含めて登録するようにしてもよい。
この識別情報とは、保存される知財情報に対して付与したまたは知財情報の保存時に設定により自動的に付与された固有のものであり、例えば、ＩＤやキーワード、ハッシュ値などをいう。
【００１３】
このように、クリエイタ端末に保存された知財情報に、識別情報と保存日時情報とが含まれ、クリエイタ端末から受付けたこの知財情報を所定の登録領域に登録する際に、この登録領域に保存されている知財情報の存否を判断し、先に保存された知財情報がある場合には、その知財情報の保存日時を検索して直近保存日時の知財情報に含まれる識別情報を取得し、取得した識別情報を関連識別情報として新たに登録する知財情報に含めて添付または埋め込んで登録するようにしたことで、登録領域内に登録された知財情報を関連識別情報に関連付けて時系列順に整理することができ、クリエイタが知財情報を創作した過程を証明することができる。
したがって、後から保存日時情報や登録日時情報を改ざんしたとしても、関連識別情報に関連付けて整理すれば実際の創作順と異なるものとなり、不正な知財情報と判断することができるので、公開された最終知財情報だけを閲覧して無断で模倣等することが抑制され、クリエイタの権利を守ることができる。
【００１４】
また、上記知財情報の識別情報は、上記直近の知財情報に基づいて生成したハッシュ値であるってもよい。
このように、識別情報をハッシュ値とすれば、ハッシュ値はクリエイタ端末に保存される知財情報を量子化するなどしてデジタル化し、このデジタル化した情報を予め具備されたハッシュ値計算プログラムに基づき生成すると、ハッシュ値を確認することで不正な知財情報であるか否か判断でき、識別情報が改ざんされる虞をなくすことができる。しかも、知財情報と共にハッシュ値を登録することで、知財情報を全て登録せずとも一部だけ登録することで、ハッシュ値により不正な知財情報であるか否か判断することができるものとなる。
【００１５】
また、上記クリエイタ端末に保存された知財情報は、クリエイタ端末に先に保存されていた知財情報を利用して創作されたものの場合、利用した知財情報の表示時にその固有の識別情報を取得し、取得した識別情報を関連識別情報として新たに創作された更新保存する知財情報に含めて保存してもよい。
【００１６】
このように、知財情報がクリエイタ端末に先に保存されていた知財情報を利用して創作されたものの場合、利用した知財情報の表示（ファイルを開く）時にその固有の識別情報を取得し、取得した識別情報を関連識別情報として新たに創作された更新保存する知財情報に含めて保存するようにしたことで、知財情報を関連識別情報に関連付けて時系列順に整理することができ、クリエイタが知財情報を創作した過程を証明することができる。
したがって、後から登録日時情報を改ざんしたとしても、関連識別情報に関連付けて整理すれば利用した知財情報の関連性が容易に分かり、登録日時情報順と異なる場合は、不正な知財情報と判断することができるので、公開された最終知財情報だけを閲覧して無断で模倣等することが抑制され、クリエイタの権利を守ることができる。
【００１７】
また、上記登録許可情報は、登録条件の設定を求める登録設定情報を含み、上記知財情報を受付ける手段は、知財情報とともに上記登録設定情報を受付けてもよい。
【００１８】
この登録条件の設定を求める登録設定情報とは、例えば、絵画や商標といった知財情報の種類・分野を設定する「ジャンル」や、知財情報のテーマや表現された内容を表す文字を設定する「キーワード」、創作事実（登録日）証明や電子公証、電子スタンプといった保護の程度を設定する「保護属性」、登録した知財情報の公開を許諾する範囲を設定する「公開レベル」等の項目をいう。
【００１９】
このように、登録条件の設定を求める登録設定情報を登録許可情報に含めて知財情報の登録を受付けることにより、個々の知財情報ごとにクリエイタが望む知財情報の開示や保護が成され、クリエイタの権利を守ることができる。
【００２０】
また、上記閲覧者端末は、取得した知財情報に対して行われた印刷、編集などの処理の種類とその処理が行われた時間の情報を含む利用情報取得して、上記コンピュータに対して送信する手段を有しており、上記閲覧者端末から送信された利用情報を受信して、履歴情報記憶手段に記憶する手段を更に有してもよい。
【００２１】
これにより、閲覧された知財情報が、閲覧者端末側でどのように利用されたかのログデータまで取得することができ、閲覧者の利用状況を特定することができる。これにより、閲覧者が閲覧者端末で不正に印刷したり、改変したりすることをログデータとして記録しておくことができる。
【００２２】
本発明の一の観点にかかる知的財産保護支援方法は、知的財産保護の対象となるコンテンツデータを含む知財情報を創作するクリエイタが利用するクリエイタ端末と知財情報の閲覧を希望する閲覧者が利用する閲覧者端末と通信可能に接続されたコンピュータにより行われる方法であって、上記コンピュータが、上記クリエイタ端末から登録要求された知財情報と、当該クリエイタのクリエイタ識別情報とを受信して受付ける処理と、上記受付けた知財情報をクリエイタ識別情報に関連付けて、クリエイタごとに予め設けられた登録領域を有する知財情報記憶手段に登録する処理と、上記閲覧者端末から、当該閲覧者識別情報と共に、開示される知財情報の情報量を多くすることを要求する開示度向上要求を受信して受付ける処理と、上記受付けた閲覧者識別情報及び開示段階向上要求情報を上記知財情報ごとに関連付けて履歴情報記憶手段に記憶する処理と、上記受付けた開示段階向上要求に応じ、登録された知財情報を開示する情報量を多くして上記閲覧者端末に対して開示する処理とを行うことを特徴とする。
【００２３】
このように、クリエイタが創作しまたは取得した知的財産保護の対象となる知財情報を、クリエイタごとに予め設けられた登録領域に登録し、登録されたこの知財情報を、閲覧要求後の開示度向上要求の受付に応じて段階的に開示度を上げて開示するようにし、その際、開示段階向上要求情報をその知財情報に関連付けて記憶するようにしたことで、この開示段階向上要求情報によって、どの知財情報が閲覧者の要求により開示、閲覧されたかその行為を証明することができる。したがって、閲覧した知財情報の無断での模倣等を抑制し、クリエイタの権利を守ることができる。
【００２４】
また、上記知財情報には、識別情報と保存日時情報とをさらに含み、上記コンピュータは、上記登録領域に先に保存された知財情報の存否を判断し、上記登録領域に先に保存された知財情報がある場合には、直近保存日時の知財情報に含まれる識別情報を取得し、取得した識別情報を関連識別情報として新たに登録する知財情報に含めて登録する処理をさらに有してもよい。
【００２５】
このように、知財情報に識別情報と保存日時情報とを含めて保存するものとし、知財情報の保存時に、知財情報を保存する登録領域に先に保存された知財情報の存否を判断し、先に保存された知財情報がある場合には、その知財情報の保存日時情報を検索して直近保存日時の知財情報に含まれる識別情報を取得し、取得した識別情報を関連識別情報として新たに登録する知財情報に含めて登録するようにしたことで、関連識別情報によって先に（既に）創作されたまたは創作途中の知財情報が分かり、知財情報をクリエイタが創作した時系列順に整理し、創作過程を証明することができる。したがって、公開された知財情報を閲覧して無断で模倣等したとしても、その関連識別情報を確認すれば不正な知財情報であるか否か判断することができる。
【００２６】
また、上記コンピュータは、保存される知財情報が先に保存されていた知財情報を利用して創作されたものの場合、利用した知財情報の表示時にその固有の識別情報を取得し、取得した識別情報を関連識別情報として新たに創作された更新保存する知財情報に含めて保存する処理をさらに有してもよい。
【００２７】
このように、保存される知財情報が先に保存されていた知財情報を利用して創作されたものの場合、利用した知財情報の表示時にその固有の識別情報を取得し、取得した識別情報を関連識別情報として新たに創作された更新保存する知財情報に含めて保存するようにしたことで、関連識別情報によって利用した知財情報が分かり、クリエイタが知財情報を創作した過程を証明することができる。したがって、公開された知財情報を閲覧して無断で模倣等したとしても、その関連識別情報を確認すれば不正な知財情報であるか否か判断することができる。
【００２８】
また、上記コンピュータは、知財情報とともに当該知財情報を登録する際の条件を表す登録設定情報を受付けるようにしてもよい。
【００２９】
このように、知財情報の登録要求に応じてクリエイタ端末に送信する登録許可情報に登録条件の設定を求める登録設定情報を含めるようにしたことで、個々の知財情報ごとに簡単かつ確実にクリエイタが望む知財情報の開示や保護が成され、クリエイタの権利を要求とおり適切に守ることができる。
【００３０】
また、上記閲覧者端末は、取得した知財情報に対して行われた印刷、編集などの処理の種類とその処理が行われた時間の情報を含む利用情報取得して、上記コンピュータに対して送信する手段を有しており、上記コンピュータは、上記閲覧者端末から送信された利用情報を受信して、履歴情報記憶手段に記憶する処理を行うようにしてもよい。
【００３１】
このように、知財情報の閲覧要求に応じて開示された知財情報に対して要求された印刷または編集（たとえばコピー）といった利用情報を取得し、知財情報を開示する装置に対して送信することで、閲覧者識別情報と開示した知財情報と利用情報とを関連付けて装置に記憶することができ、閲覧者が知財情報を利用した事実を証明することができる。
したがって、クリエイタに承諾無く、閲覧した知財情報無断で模倣等することが抑制され、クリエイタの権利を守ることができる。
【００３２】
本発明の一の観点にかかるコンピュータプログラムは、知的財産保護の対象となるコンテンツデータを含む知財情報を創作するクリエイタが利用するクリエイタ端末と知財情報の閲覧を希望する閲覧者が利用する閲覧者端末と通信可能に接続されたコンピュータを、知財情報保護装置として機能させるためのコンピュータプログラムであって、上記コンピュータに対して、上記クリエイタ端末から登録要求された知財情報と、当該クリエイタのクリエイタ識別情報とを受信して受付ける処理と、上記受付けた知財情報をクリエイタ識別情報に関連付けて、クリエイタごとに予め設けられた登録領域を有する知財情報記憶手段に登録する処理と、上記閲覧者端末から、当該閲覧者識別情報と共に、開示される知財情報の情報量を多くすることを要求する開示度向上要求を受信して受付ける処理と、上記受付けた閲覧者識別情報及び開示段階向上要求情報を上記知財情報ごとに関連付けて履歴情報記憶手段に記憶する処理と、上記受付けた開示段階向上要求に応じ、登録された知財情報を開示する情報量を多くして上記閲覧者端末に対して開示する処理とを実行させることを特徴とする。
【００３３】
このように、知的財産保護の対象となる知財情報の登録要求を受け付け、この受付けた知財情報の登録要求に応じ、クリエイタ端末に登録許可情報を送信し、この登録許可情報の送信に応じ、クリエイタ端末から知財情報を受け付け、受付けた知財情報を、クリエイタごとに予め設けられた登録領域に登録し、次いで、登録された知財情報の閲覧要求を受け付け、受付けた知財情報の閲覧要求に応じ、登録された知財情報を段階的に開示し、さらに、この開示された知財情報の開示度向上要求を受け付け、受け付けた開示段階向上要求情報をその知財情報に関連付けて記憶すると共に、受け付けた開示段階向上要求に応じ、登録された知財情報を開示度を上げて開示する、といった一連の動作をコンピュータに行わせることにより、この開示段階向上要求情報によって、どの知財情報が閲覧者の要求により開示、閲覧されたかその行為を証明するものとして、閲覧した知財情報の無断での模倣等を抑制し、クリエイタの権利を守るようにすることができる。
【発明の効果】
【００３４】
本発明によれば、クリエイタの創作物やノウハウ、営業秘密など知的財産保護の対象となる知財情報の内容の一部または全部と、知財情報の登録日時とが記録されるので、クリエイタは登録日時に基づいて、簡単に知財情報の創作事実及び創作過程の証明を行なうことができる。
また、どの知財情報が閲覧者の要求により開示、閲覧されたかその行為を証明することができるので、閲覧した知財情報が無断で模倣等されることによりクリエイタのオリジナリティが失われることが守られる共に、約束や契約の違反からもクリエイタの権利を守ることができ、クリエイタは創作物等の知財情報を安全に開示することできる。
【発明を実施するための最良の形態】
【００３５】
以下、本発明の一実施の形態を、図面に基づき説明する。
図１は、本発明の実施の形態に係る知的財産保護支援方法を実施するためのシステムの一例を概略的に示す全体構成図であり、図２は、このシステムに用いられる装置における構成を簡略的に示すブロック図である。
まず、本実施形態では、登録された知財情報を、開示段階向上要求の受付に応じ開示度を上げて段階的に開示することで、どの知財情報が閲覧されたかその行為を証明する場合について説明する。
【００３６】
図１に示すように、本実施の形態で用いる知的財産保護支援システムは、知的財産保護の対象となる知財情報を創作するクリエイタが利用するクリエイタ端末３と、知財情報の閲覧を希望する閲覧者が利用する閲覧者端末５と、これらクリエイタ端末３及び閲覧者端末５とネットワーク１０を通じて通信可能に接続された知的財産保護支援装置１とを備えている。この際、第一のクリエイタが、第二のクリエイタが創作した知財情報の閲覧を希望する場合もあり、この際は、第二のクリエイタが利用するクリエイタ端末３が閲覧者端末５となる。
また、知的財産保護支援装置１は、クリエイタ端末３とインターネット接続を含む有線電話回線、無線電話回線、ＣＡＴＶ（cable television）回線、その他の通信回線網などのネットワーク１０を介して情報の授受が可能に構成されている。
【００３７】
この知的財産保護支援装置１は、図２に示すように、少なくとも会員情報受付部１１と、知財情報登録要求受付部１２と、知財情報受付・登録部１３と、知財情報閲覧要求受付部１４と、開示度向上要求受付部１５と、会員マイページ開設部１６と、知財情報登録許可情報送信部１７と、知財情報閲覧許可情報発行部１８と、知財情報閲覧許可判定部１９と、知財情報開示部２０と、会員情報記憶部２１と、知財情報記憶部２２とから構成されている。また、知的財産保護支援装置１は、図示しないが、オペレーティング・システムや知的財産保護支援プログラム、及び知的財産保護支援用の各種データを記憶するハードディスクを有し、このハードディスクからプログラムやデータを読み出すハードディスクユニットをも有する。そして、知的財産保護支援装置１は、ハードディスクから読み出されたプログラム及びデータに基づいて機能する。
【００３８】
会員情報受付部１１は、知的財産保護の対象となる知財情報を創作し、創作した知財情報の登録を要求するクリエイタ、またはクリエイタが創作した知財情報の閲覧を要求する閲覧者から、知財情報の登録前または知財情報の閲覧前に、氏名や住所、性別、生年月日、電話番号、電子メールアドレス、職業といった会員となるための個人情報からなる所定の登録情報を受付ける処理を行う。受付けた会員情報は、会員情報記憶部２１に記憶される。
また、会員情報受付部１１は、会員情報の受け付けを完了したことを、会員マイページ開設部１６へ報告する。
【００３９】
知財情報登録要求受付部１２は、クリエイタ端末３から知財情報の登録要求を受け付け、受付けた知財情報の登録要求に応じて、知財情報の登録が可能なクリエイタ端末３であるか否か判断を行い、登録を許可する場合に、クリエイタ端末３より知財情報登録の受け付けを可能とする知財情報登録許可情報を発行する処理を行う。ここで発行された知財情報登録許可情報は、知財情報登録許可情報送信部１７へ送られる。
【００４０】
知財情報受付・登録部１３は、知財情報登録許可情報送信部１７よりクリエイタ端末３へ送信した登録許可情報に応じ、クリエイタ端末３から送られた知財情報を受け付け、さらに、この知財情報を知財情報記憶部２２のクリエイタごとに予め設けられた登録領域に登録する処理を行う。受付けた知財情報には、識別情報と保存日時情報とが含まれている。この識別情報は、例えば、固有のＩＤやキーワード、ハッシュ値である。
また、知財情報受付・登録部１３は、登録時に先に登録された知財情報の存否を判断し、上記登録領域に先に登録された知財情報がある場合には、受付けた知財情報に含まれる保存日時に直近の保存日を有する知財情報に含まれる識別情報を取得し、取得した識別情報を関連識別情報として新たに登録する知財情報に含めて保存する処理も行う。
また、受付けた知財情報は、クリエイタ端末３に先に保存されていた知財情報を利用して創作されたものである場合、利用した知財情報の表示時にその固有の識別情報を取得し、取得した識別情報を関連識別情報として新たに創作された更新保存する知財情報に含めて保存されたものの場合もある。
さらに、知財情報受付・登録部１３は、知財情報とともに上記登録設定情報を受付ける処理も行なう。
【００４１】
知財情報閲覧要求受付部１４は、クリエイタ端末３または閲覧者端末５より、登録された知財情報の閲覧要求を受け付け、受付けた知財情報の閲覧要求に応じて、知財情報の閲覧が可能な閲覧者端末５であるか否か判断を行い、閲覧を許可する場合に、知財情報開示部２０に対して知財情報の公開を指示する処理を行なう。
また、知財情報閲覧要求受付部１４は、受付けた閲覧要求が、会員登録されていない第三者が利用する閲覧者端末５からの場合、または第三者に登録されている自分の知財情報を閲覧させたいクリエイタ端末３からの場合、その閲覧要求を、知財情報閲覧許可情報発行部１８へ送る処理も行なう。この際、会員登録されていない第三者に対しては自分の身分を証明する、また、登録されている自分の知財情報を第三者に閲覧させたいクリエイタに対しては第三者についての身分を証明する、氏名、住所、連絡先等の所定の情報の登録をそれぞれ求めるものとすることが望ましい。ここで、受付けた知財情報閲覧要求情報は、知財情報記憶部２２へ送られる。
【００４２】
開示度向上要求受付部１５は、閲覧者端末５より、開示された知財情報の開示度向上要求を受付ける処理を行なう。この開示度向上要求は、閲覧者端末５に表示されている知財情報の公開率アップや拡大を求めるため、表示されている知財情報の表題や要約または小さなサムネイル画像をクリック等する行為に伴って発信される信号をいう。ここで受付けた開示度向上要求情報は、知財情報開示部２０及び知財情報記憶部２２へ送られる。
【００４３】
会員マイページ開設部１６は、会員情報受付部１１からの会員情報の受け付け報告に伴って、会員登録されたクリエイタのクリエイタ端末３から送られる知財情報を登録する会員マイページを、クリエイタごとに開設する処理を行なう。
【００４４】
知財情報登録許可情報送信部１７は、知財情報登録要求受付部１２で知財情報の登録要求を受付けることに応じて発行された登録許可情報を、クリエイタ端末３に送信する処理を行なう。この登録許可情報には、登録条件の設定を求める登録設定情報を含むものとしても良い。この登録設定情報には、たとえば、絵画や商標といった知財情報の種類・分野の設定を求める「ジャンル」項目や、知財情報のテーマや表現された内容を表す文字の設定を求める「キーワード」項目や、創作事実（登録日）証明や電子公証、電子スタンプといった保護の程度の設定を求める「保護属性」項目や、登録した知財情報の公開を許諾する範囲の設定を求める「公開レベル」項目等がある。
【００４５】
知財情報閲覧許可情報発行部１８は、知財情報閲覧要求受付部１４からの閲覧要求に応じて、登録されている知財情報の閲覧を許可する閲覧許可ＩＤを発行する処理を行なう。
知財情報閲覧許可判定部１９は、知財情報閲覧要求受付部１４で受付けた知財情報閲覧要求に、上記知財情報閲覧許可情報発行部１８で発行された閲覧許可ＩＤが含まれているか否かを判定し、知財情報開示部２０に対して、登録されている知財情報の閲覧を許可する指示を出す処理を行なう
【００４６】
知財情報開示部２０は、知財情報閲覧要求受付部１４から受付けた知財情報の閲覧要求に応じ、登録された知財情報を開示するとともに、開示度向上要求受付部１５ら受付けた開示段階向上要求に応じ、登録された知財情報の開示度を上げて開示する処理を行なう。
【００４７】
会員情報記憶部２１は、会員情報受付部１１で受付けた会員情報を記憶する。この会員情報は、たとえば図９に示す会員情報のような形で記憶することが出来る。この会員情報には、各会員のＩＤ番号を管理する会員ＩＤや会員の氏名、住所、電話番号、ファクシミリ番号、生年月日、等を管理する欄がそれぞれ設けられている。
【００４８】
知財情報記憶部２２は、知財情報受付・登録部１３で受付けた知的財産情報を会員ＩＤに基づいて記憶する。この知的財産情報は、たとえば図１０に示す登録知的財産情報のような形で記憶することが出来る。この登録知的財産情報には、会員ＩＤや、知財情報であるコンテンツのＩＤ番号を管理するコンテンツＩＤ、登録設定情報としてのジャンル、保護属性、公開レベル、及び登録日時、識別番号、関連識別番号、等を管理する欄がそれぞれ設けられている。
また、知財情報記憶部２２は、知財情報閲覧要求受付部１４で受付けた知財情報閲覧要求情報や、開示度向上要求受付部１５で受付けた開示段階向上要求情報を、その知財情報に関連付けて記憶する。
【００４９】
また、クリエイタ端末３は、知財情報保存部３１と、知財情報登録依頼部３２とを少なくとも有する。
知財情報保存部３１は、クリエイタ端末３にて創作または取得した知財情報を保存する処理を行なう。この知財情報には、保存した知財情報に固有の識別情報と保存日時情報とが含まれている。
また、知財情報保存部３１は、クリエイタ端末３に先に保存されていた知財情報を利用して創作されたものの場合、利用した知財情報の表示時にその固有の識別情報を取得し、取得した識別情報を関連識別情報として新たに創作された更新保存する知財情報に含めて保存する。
【００５０】
知財情報登録依頼部３２は、知財情報保存部３１に保存されている知財情報の登録を知的財産保護支援装置１へ依頼すると共に、知財情報登録許可情報送信部１７からの知財情報登録許可情報に応じて、登録を希望する知財情報を知的財産保護支援装置１へ送信する処理を行なう。
【００５１】
また、閲覧者端末５は、閲覧実行部５１を少なくとも有する。
閲覧実行部５１は、知財情報を登録する知的財産保護支援装置１に対して閲覧者識別情報と共に知財情報の閲覧要求を送信すると共に、この閲覧要求に応じて開示された知財情報に対して要求された印刷または編集といった処理を行い、この処理の利用情報及びその処理を行なった時間（クリエイタ端末３の計時手段を参照して取得）からなる利用情報を知的財産保護支援装置１へ送信する処理を行なう。この閲覧実行部５１は、ブラウザプログラムと、これに加えて知財保護システムから配布されたＪＡＶＡＳｃｒｉｐｔ（登録商標）などのコンピュータプログラムにより実現することができるようになっている。このＪＡＶＡＳｃｒｉｐｔ（登録商標）などのコンピュータプログラムは、知財保護支援装置１から配信又は配布することができる。
【００５２】
以上ように構成された知的財産保護入支援システムにおいて、クリエイタが保護を要求した知財情報が保護される第一の例は、たとえば図３に示すように行うことが出来る。図３は、知的財産保護支援方法の流れの一例を示すシーケンス図である。
まず、事前準備としてクリエイタは、クリエイタが利用するクリエイタ端末３より、本知的財産保護入支援システムを利用する会員となるための会員情報の入力を行い、知的財産保護支援装置１に対して送信する（ａ）。
【００５３】
次いで、知的財産保護支援装置１では、クリエイタ端末３より送信された会員情報を受け付け、所定の会員情報の開示がなされていることを条件に、その会員情報を所定の記憶部に登録する（ｂ）。
また、知的財産保護支援装置１では、会員情報の登録に応じて、個々の会員を識別するためにそれぞれ付与される固有の会員ＩＤを発行し、会員として登録されたクリエイタが利用するクリエイタ端末３へ会員ＩＤが発行・付与されたことを通知する（ｃ）。
さらに、知的財産保護支援装置１では、会員ＩＤの発行・付与に応じて、クリエイタ端末３より送信された知財情報を受け入れ、自分の知財情報だけを登録し、表示・閲覧といった管理ができる会員マイページを会員ごとに開設する（ｄ）。
【００５４】
そして、クリエイタが知的財産保護の対象となる知財情報を創作し、その登録保護を要求する場合、その知財情報がクリエイタ端末３を利用しないで創作されたものであるならば、例えばカメラやスキャナー等を用いてクリエイタ端末３に取り込み、また、その知財情報がクリエイタ端末３を利用して創作されたものであるならば、そのまま保存することにより、知財情報をクリエイタ端末３に取得・保存する（１）。
引き続き、クリエイタは、発行・付与された会員ＩＤを利用し、知財情報を取得・保存したクリエイタ端末３からネットワークを通じて知的財産保護支援装置１に対して、その知財情報の登録を要求する（２）。
【００５５】
知的財産保護支援装置１は、クリエイタ端末３から要求された知財情報の登録要求をネットワークを通じて受け付ける（３）。
次いで、知的財産保護支援装置１は、受付けた知財情報の登録要求に応じ、ネットワークを通じて登録許可情報をクリエイタ端末３へ返信する（４）。
クリエイタ端末３は、知的財産保護支援装置１からの登録許可情報の受け付け、これに応じて、登録保護を要求する保存された知財情報をネットワークを通じて送信し、登録を依頼する（５）。
【００５６】
知的財産保護支援装置１は、クリエイタ端末３より送信された知財情報をネットワークを通じて受け付ける（６）。
次いで、知的財産保護支援装置１は、受付けた知財情報をクリエイタごとに予め設けられた登録領域としての会員マイページに登録し、会員情報と知財情報とを関連付けて登録することで会員情報を更新する（７）。
【００５７】
そして、登録された知財情報の閲覧要求があると、閲覧要求者が既に会員登録されたクリエイタである場合はそのまま登録された知財情報の閲覧要求をネットワークを通じて受け付けるが、未だ会員登録されていない場合は、閲覧希望者が利用する閲覧者端末５より、本知的財産保護入支援システムで登録・管理されている知財情報を閲覧する会員となるための会員情報の入力を行い、知的財産保護支援装置１に対して送信する（ｅ）。
次いで、知的財産保護支援装置１では、閲覧者端末５より送信された会員情報を受け付け、所定の会員情報の開示がなされていることを条件に、その会員情報を所定の記憶部に登録する（ｆ）。
また、知的財産保護支援装置１では、会員情報の登録に応じて、個々の会員を識別するためにそれぞれ付与される固有の会員ＩＤを発行し、会員として登録された閲覧希望者が利用する閲覧者端末５へ会員ＩＤが発行・付与されたことを通知する（ｇ）。
【００５８】
そして、会員ＩＤの発行・付与を受けた閲覧希望者は、この会員ＩＤを利用し、閲覧者端末５からネットワークを通じて知的財産保護支援装置１に対して、知財情報の閲覧要求を行なう（８）。
なお、この場合、図示しないが、クリエイタが登録されている自分の知財情報を第三者に閲覧させたい場合は、クリエイタがクリエイタ端末３より、その第三者についての身分を証明する、氏名、住所、連絡先等の所定の情報の登録を行い、これに応じてクリエイタ端末３へ会員ＩＤが発行・付与されたことを通知するようにしても良い。したがって、クリエイタは、クリエイタ端末３よりその会員ＩＤを第三者の閲覧者端末５へ送信し、第三者は、閲覧者端末５からこの会員ＩＤを用いて知財情報の閲覧要求を行なうこととなる。
【００５９】
知的財産保護支援装置１は、閲覧者端末５より送信された登録された知財情報の閲覧要求をネットワークを通じて受け付ける（９）。
次いで、知的財産保護支援装置１は、受付けた知財情報の閲覧要求に応じ、登録された知財情報を段階的に開示するために、その一部だけをネットワークを通じて閲覧者端末５に対して開示する（１０）。
【００６０】
閲覧者端末５は、知的財産保護支援装置１からの知財情報の開示を受け付け閲覧するが、もっと詳しく知財情報の公開率を高めることを要求する場合に、閲覧者端末５からネットワークを通じて知的財産保護支援装置１に対して、開示された知財情報の開示度向上要求をする（１１）。
【００６１】
知的財産保護支援装置１は、閲覧者端末５より開示された知財情報の開示度向上要求を受付ける（１２）。
次いで、知的財産保護支援装置１は、受付手段で受付けた開示段階向上要求情報をその知財情報に関連付けて記憶する（１３）。ここで、受付けた開示段階向上要求情報をその知財情報に関連付けて記憶するようにしたことで、閲覧者が内容を閲覧する意思を持って知財情報を開示させた行為の記録がなされる。
さらに、知的財産保護支援装置１は、受付けた開示段階向上要求に応じ、ネットワークを通じて登録された知財情報を閲覧者端末５に対して開示度を上げて開示する（１４）。
【００６２】
そして、閲覧者端末５は、知的財産保護支援装置１から開示度を上げた知財情報の開示を受け付け、閲覧する（１５）。
したがって、この閲覧者が無断で閲覧した知財情報を模倣等した場合は、上記の開示段階向上要求情報の記録に基づいて、閲覧者が知財情報を閲覧した事実の証明し、不正な行為であることを立証することができる。
【００６３】
次に、以上のような構成の知的財産保護入支援システムにおいて、クリエイタが保護を要求した知財情報が保護される第一の例での知的財産保護入支援装置１の動作の一例を説明する。図４は、その流れを示すフローチャート図である。
図４に示すように、まず、会員情報受付部１１が、クリエイタ端末３より送られた会員情報を受付けたか否か判断する（Ｓ１１）。
【００６４】
その結果、会員情報受付部１１が会員情報を受付けた場合（Ｙ）は、受付けた会員情報を会員情報記憶部２１に記憶する（Ｓ１２）。
また、会員情報受付部１１は会員情報を受付けると会員ＩＤを発行し、その会員ＩＤをクリエイタ端末３へ送信することにより固有の会員識別情報を付与する（Ｓ１３）。
また、会員情報受付部１１は会員情報を受付けると、会員情報の受け付けを完了したことを会員マイページ開設部１６へ報告し、会員マイページ開設部１６は、会員登録されたクリエイタの知財情報を登録するクリエイタごとの会員マイページを開設する（Ｓ１４）。
一方、会員情報受付部１１が会員情報を受付けていない場合（Ｎ）は、引き続き知財情報登録要求受付部１２が、クリエイタ端末３より送られた知財情報の登録要求を受付けたか否か判断する（Ｓ１５）。
【００６５】
その結果、知財情報登録要求受付部１２が知財情報の登録要求を受付けた場合（Ｙ）は、引き続き知財情報登録要求受付部１２は、受付けた登録要求に会員ＩＤが含まれているか否か判断し、更に会員ＩＤが含まれている場合には、含まれている会員ＩＤが知財情報の登録が可能なクリエイタ端末３の会員ＩＤであるか否か、会員情報記憶部２１に記憶した会員情報を参照して判断を行う。
そして、知財情報登録要求受付部１２は、知財情報の登録を許可する場合に、知財情報の登録受け付けを可能とする知財情報登録許可情報を発行し、知財情報登録許可情報送信部１７よりクリエイタ端末３へ送る（Ｓ１６）。なお、図示しないが、登録を許可しない場合は、会員ＩＤの入力を伴った知財情報の再登録要求を求めるか、またはそのまま終了する。
一方、知財情報登録要求受付部１２が知財情報の登録要求を受付けていない場合（Ｎ）は、引き続き知財情報閲覧要求受付部１４が、閲覧者端末５より送られた知財情報の閲覧要求を受付けたか否か判断する（Ｓ１９）。
【００６６】
次いで、知財情報登録許可情報送信部１７よりクリエイタ端末３へ送信した知財情報登録許可情報に応じ、知財情報受付・登録部１３が、クリエイタ端末３から送られた知財情報を受付けたか否か判断する（Ｓ１７）。
その結果、知財情報受付・登録部１３が知財情報を受付けた場合（Ｙ）は、受付けた知財情報をクリエイタごとに予め設けられた登録領域としての会員マイページに登録し、会員情報と知財情報とを関連付けて知財情報記憶部２２に登録することで会員情報を更新する（Ｓ１８）。受付けた知財情報には、識別情報と保存日時情報とが含まれている。この識別情報は、例えば、固有のＩＤやキーワード、ハッシュ値である。
また、知財情報登録許可情報送信部１７よりクリエイタ端末３へ送信した知財情報登録許可情報には、例えば、絵画や商標といった知財情報の種類・分野の設定を求める「ジャンル」項目や、知財情報のテーマや表現された内容を表す文字の設定を求める「キーワード」項目や、創作事実（登録日）証明や電子公証、電子スタンプといった保護の程度の設定を求める「保護属性」項目や、登録した知財情報の公開を許諾する範囲の設定を求める「公開レベル」項目等といった登録条件の設定を求める登録設定情報が含まれている。
一方、知財情報受付・登録部１３が知財情報を受付けていない場合（Ｎ）は、再度知財情報受付・登録部１３が、クリエイタ端末３から送られた知財情報を受付けたか否か判断を繰り返す（Ｓ１７）。
【００６７】
また、知財情報閲覧要求受付部１４が、閲覧者端末５より送られた知財情報の閲覧要求を受付けたか否か判断した結果、知財情報閲覧要求受付部１４が、知財情報の閲覧要求を受付けた場合（Ｙ）は、引き続き知財情報閲覧許可判定部１９が受付けた閲覧要求に会員ＩＤが含まれているか否か、会員情報記憶部２１に記憶した会員情報を参照して判断を行う。この際、受付けた閲覧要求に会員ＩＤが含まれていない場合は、閲覧者端末５に対して会員ＩＤの入力を伴った知財情報の再閲覧要求を求める。また、受け付けた閲覧要求が、会員登録されていない第三者が利用する閲覧者端末５からであり、会員ＩＤが付与されていない場合は、その三者の身分を証明する氏名、住所、連絡先等の所定の情報の登録を、閲覧者端末５に対して求める。この会員登録情報は、会員情報受付部１１へ送られ、会員情報受付部１１は会員情報を受付けると会員ＩＤを発行し、その会員ＩＤを閲覧者端末５へ送信する。
【００６８】
そして、知財情報閲覧許可判定部１９は、会員ＩＤに基づいて知財情報の閲覧を許可する場合に、知財情報開示部２０に対して知財情報の公開を指示し、知財情報開示部２０は、知財情報閲覧許可判定部１９から受付けた知財情報の閲覧指示に応じ、登録された知財情報を閲覧者端末５に対して開示する（Ｓ２０）。この際、知財情報閲覧要求情報は、知財情報記憶部２２へ送られ、会員情報と関連付けて登録される。
【００６９】
一方、知財情報閲覧要求受付部１４が、知財情報の閲覧要求を受付けていない場合（Ｎ）は、引き続き開示度向上要求受付部１５が、閲覧者端末５より、開示された知財情報の開示度向上要求を受付けたか否か判断する（Ｓ２１）。この開示度向上要求は、閲覧者端末５に表示されている知財情報の公開率アップや拡大を求めるため、表示されている知財情報の表題や要約または小さなサムネイル画像をクリック等する行為に伴って発信される信号に基づいて判断される。
【００７０】
その結果、開示度向上要求受付部１５が、開示された知財情報の開示度向上要求を受付けた場合（Ｙ）は、ここで受付けた開示度向上要求情報を知財情報記憶部２２へ送り、知財情報記憶部２２は、開示度向上要求受付部１５から送られた開示段階向上要求情報を、閲覧が求められている知財情報に関連付けて記憶する（Ｓ２２）。
また、開示度向上要求受付部１５は開示された知財情報の開示度向上要求を受付けると、受付けた開示度向上要求情報を知財情報開示部２０へ送り、知財情報開示部２０は、開示度向上要求受付部１５から受付けた開示段階向上要求に応じ、登録された知財情報の開示度を上げて閲覧者端末５に対して開示し（Ｓ２３）、クリエイタが保護を要求した知財情報が保護される知的財産保護入支援装置１での一連の動作は終了（エンド）する。
一方、開示度向上要求受付部１５が開示された知財情報の開示度向上要求を受付けていない場合（Ｎ）は、そのままクリエイタが保護を要求した知財情報が保護される知的財産保護入支援装置１での一連の動作は終了（エンド）する。
【００７１】
これにより、閲覧者の要求により開示、閲覧されたかその行為を証明することができるので、閲覧した知財情報が無断で模倣等されることによりクリエイタのオリジナリティが失われることが守られ、創作物等の知財情報を安全に開示することできる共に、約束や契約の違反からもクリエイタの権利を守ることができ、知的財産の保護が支援されることになる。
【００７２】
また、クリエイタが保護を要求した知財情報が保護される第二の例は、たとえば図５に示すように行うことが出来る。図５は、知的財産保護支援方法の第二の例の流れを示すシーケンス図である。
まず、前述した第一の例と同様に、事前準備としてクリエイタは、クリエイタが利用するクリエイタ端末３より、本知的財産保護入支援システムを利用する会員となるための会員情報の入力を行い、知的財産保護支援装置１に対して送信する（ａ）。
次いで、知的財産保護支援装置１では、クリエイタ端末３より送信された会員情報を受け付け、所定の会員情報の開示がなされていることを条件に、その会員情報を所定の記憶部に登録する（ｂ）。
また、知的財産保護支援装置１では、会員情報の登録に応じて、個々の会員を識別するためにそれぞれ付与される固有の会員ＩＤを発行し、会員として登録されたクリエイタが利用するクリエイタ端末３へ会員ＩＤが発行・付与されたことを通知する（ｃ）。
さらに、知的財産保護支援装置１では、会員ＩＤの発行・付与に応じて、クリエイタ端末３より送信された知財情報を受け入れ、自分の知財情報だけを登録し、表示・閲覧といった管理ができる会員マイページを会員ごとに開設する（ｄ）。
【００７３】
そして、クリエイタが知的財産保護の対象となる知財情報を創作し、その登録保護を要求する場合、その知財情報がクリエイタ端末３を利用しないで創作されたものであるならば、例えばカメラやスキャナー等を用いてクリエイタ端末３に取り込み、また、その知財情報がクリエイタ端末３を利用して創作されたものであるならば、識別情報と保存日時情報を知財情報含めて保存することにより、知財情報をクリエイタ端末３に取得・保存する（３１）。
引き続き、クリエイタは、発行・付与された会員ＩＤを利用し、知財情報を取得・保存したクリエイタ端末３からネットワークを通じて知的財産保護支援装置１に対して、その知財情報の登録を要求する（３２）。
【００７４】
知的財産保護支援装置１は、クリエイタ端末３から要求された知財情報の登録要求をネットワークを通じて受け付ける（３３）。
次いで、知的財産保護支援装置１は、受付けた知財情報の登録要求に応じ、ネットワークを通じて登録許可情報をクリエイタ端末３へ返信する（３４）。
クリエイタ端末３は、知的財産保護支援装置１からの登録許可情報の受け付け、これに応じて、登録保護を要求する保存された知財情報をネットワークを通じて送信し、登録を依頼する（３５）。
【００７５】
知的財産保護支援装置１は、クリエイタ端末３より送信された知財情報をネットワークを通じて受け付ける（３６）。
次いで、知的財産保護支援装置１は、受付けた知財情報を登録する前に、既にクリエイタごとに予め設けられた所定の登録部に先登録知財情報が含まれているか否かその有無を判定する（３７）。
その結果、先登録知財情報が含まれている場合は、受付けた知財情報に含まれる保存日時情報を抽出し、この保存日時に直近の保存日時を有する知財情報に含まれる識別情報を関連識別情報として取得する（３８）。
【００７６】
この直近保存日時を有する知財情報に含まれる識別情報を関連識別情報として取得し、会員マイページへ登録した知財情報は、たとえば図１１に示すような形で表すことができる。図１１は、本発明の実施の形態に係る知的財産保護支援システムで登録した知財情報の会員マイページへの表示の一例を示す図である。
この会員マイページ７０には、４つの知財情報７１（７１Ａ，７１Ｂ，７１Ｃ，７１Ｄ）が表示されている。また、これらの知財情報７１には、保存日時情報７２（７２Ａ，７２Ｂ，７２Ｃ，７２Ｄ）と識別情報７３（７３Ａ，７３Ｂ，７３Ｃ，７３Ｄ）とが含まれている。そして、これらの知財情報７１には、関連識別情報として直近保存日時を有する知財情報に含まれる識別情報７４（７４Ａ，７４Ｂ，７４Ｃ，７４Ｄ）が含まれている。
すなわち、この会員マイページ７０に表示されている第一の知財情報７１Ａは、２００５年２月１２日に、識別番号７ｆｃ５６２７０が付与され、先登録知財情報が無い状態で保存されたことを示している。また、同第二の知財情報７１Ｂは、２００５年３月３日に、識別番号９ｄ５ｅｄ６７８が付与され、直近保存日時を有する先登録知財情報７１Ａに含まれる識別情報７ｆｃ５６２７０を取得して保存されたことを示している。また、同第三の知財情報７１Ｃは、２００５年３月２１日に、識別番号０ｄ６１ｆ８３７が付与され、直近保存日時を有する先登録知財情報７１Ｂに含まれる識別情報９ｄ５ｅｄ６７８を取得して保存されたことを示している。さらに、同第四の知財情報７１Ｄは、２００５年４月１６日に、識別番号ｆ６２３ｅ７５ａが付与され、直近保存日時を有する先登録知財情報７１Ｃに含まれる識別情報０ｄ６１ｆ８３７を取得して保存されたことを示している。
【００７７】
したがって、この会員マイページ７０に表示されている知財情報７１は、第一の知財情報７１Ａ、第二の知財情報７１Ｂ、第三の知財情報７１Ｃ、第四の知財情報７１Ｄの順に創作されたことが分かり、これら全ての知財情報７１（７１Ａ，７１Ｂ，７１Ｃ，７１Ｄ）が一つの作品についての知財情報であるとすると、その創作過程が第一の知財情報７１Ａ、第二の知財情報７１Ｂ、第三の知財情報７１Ｃ、第四の知財情報７１Ｄの順であることを明らかにすることができるものとなる。
また、この会員マイページ７０に表示されている知財情報７１が、無断で模倣等されてしまった場合でも、この知的財産保護支援システムに登録しておけば、その創作過程を証明することにより、正当な創作者であることを証明することができる。
【００７８】
また、この会員マイページ７０に表示されている知財情報７１を無断で模倣等した場合、上述のような創作過程を証明するものがないと疑われるので、この知的財産保護支援システムを悪用し、保存日時情報を改ざんして創作過程証明を捏造しようとすることも考えられる。しかしながら、本知的財産保護支援システムでは上述のように、保存日時に直近の保存日時を有する知財情報に含まれる識別情報を関連識別情報として取得するものであるので、その不正を暴くことができる。
【００７９】
そして、本知的財産保護支援システムの会員マイページに表示されている知財情報を無断で模倣等し、これを恰も自分で創作したかのように自分の会員マイページへ登録した知財情報は、たとえば図１２に示すような形で表すことができる。図１２は、本発明の実施の形態に係る知的財産保護支援システムで登録された知財情報を盗用した場合の知財情報の会員マイページへの表示の一例を示す図である。
この会員マイページ８０には、４つの知財情報８１（８１Ａ’，８１Ｂ’，８１Ｃ’，８１Ｄ）が表示されている。また、これらの知財情報８１には、保存日時情報８２（８２Ａ，８２Ｂ，８２Ｃ，８２Ｄ）と識別情報８３（８３Ａ，８３Ｂ，８３Ｃ，８３Ｄ）とが含まれている。そして、これらの知財情報８１には、関連識別情報として直近保存日時を有する知財情報に含まれる識別情報８４（８４Ａ，８４Ｂ，８４Ｃ，８４Ｄ）が含まれている。この会員マイページ８０に表示されている知財情報８１を、単に保存日時だけを基準に判断すると、恰も第一の知財情報８１Ａ’，第二の知財情報８１Ｂ’，第三の知財情報８１Ｃ’，第四の知財情報８１Ｄの順に創作されたように見える。
【００８０】
しかしながら、本知的財産保護支援システムの特徴である、それぞれの識別情報８１（８１Ａ’，８１Ｂ’，８１Ｃ’，８１Ｄ）に含まれる、直近保存日時を有する知財情報の識別情報８４（８４Ａ，８４Ｂ，８４Ｃ，８４Ｄ）を見ると、第四の知財情報８１Ｄを基に、第三の知財情報８１Ｃ’，第二の知財情報８１Ｂ’，第一の知財情報８１Ａ’の順に登録されていることが分かる。
すなわち、この会員マイページ８０に表示されている第一の知財情報８１Ａ’は、２００５年３月１５日に、識別番号０ｃｃ１７５ｂ９が付与され、直近保存日時を有する先登録知財情報８１Ｂ’に含まれる識別情報９２ｅｂ５ｆｆｅを取得して保存されたことを示している。また、同第二の知財情報８１Ｂ’は、２００５年３月２１日に、識別番号９２ｅｂ５ｆｆｅが付与され、直近保存日時を有する先登録知財情報８１Ｃに含まれる識別情報４ａ８ａ０８ｆ０を取得して保存されたことを示している。また、同’第三の知財情報８１Ｃ’は、２００５年４月８日に、識別番号４ａ８ａ０８ｆ０が付与され、直近保存日時を有する先登録知財情報８１Ｄに含まれる識別情報ｆ６２３ｅ７５ａを取得して保存されたことを示している。さらに、同第四の知財情報８１Ｄは、２００５年４月１６日に、識別番号ｆ６２３ｅ７５ａが付与され、ここには登録されていない先登録知財情報（図示せず）に含まれる識別情報０ｄ６１ｆ８３７を取得して保存されたことを示している。
【００８１】
したがって、この会員マイページ８０に表示されている知財情報８１は、それぞれの識別情報８１（８１Ａ’，８１Ｂ’，８１Ｃ’，８１Ｄ）に含まれる、直近保存日時を有する知財情報の識別情報８４（８４Ａ，８４Ｂ，８４Ｃ，８４Ｄ）をみれば、その創作過程が分かり、第四の知財情報８１Ｄを模倣等して不正に利用し、この第四の知財情報８１Ｄの登録後に第三の知財情報８１Ｃ’を捏造し、第三の知財情報８１Ｃ’の登録後に第二の知財情報８１Ｂ’を捏造し、第二の知財情報８１Ｂ’の登録後に第一の知財情報８１Ａ’を捏造したことが分かる。
【００８２】
そして、知的財産保護支援装置１は、取得した関連識別情報を受付けた知財情報に含め、クリエイタごとに予め設けられた登録領域としての会員マイページに登録し、会員情報と知財情報とを関連付けて登録することで会員情報を更新する（３９）。
一方、先登録知財情報が含まれていない場合は、受付けた知財情報をクリエイタごとに予め設けられた登録領域としての会員マイページにそのまま登録し、会員情報と知財情報とを関連付けて登録することで会員情報を更新する（４０）
なお、その後の知財情報の閲覧要求は、前述した第一の例と同様の流れを示す。
【００８３】
次に、以上のような構成の知的財産保護入支援システムにおいて、クリエイタが保護を要求した知財情報が保護される第二の例での知的財産保護入支援装置１の動作の一例を説明する。図６は、その流れを示すフローチャート図である。
まず、図示しないが、前述した第一の例と同様、会員情報受付部１１が、クリエイタ端末３より送られた会員情報を受付けたか否か判断し、会員情報受付部１１が会員情報を受付けた場合（Ｙ）は、受付けた会員情報を会員情報記憶部２１に記憶する。
また、会員情報受付部１１は会員情報を受付けると会員ＩＤを発行し、その会員ＩＤをクリエイタ端末３へ送信することにより固有の会員識別情報を付与する。また、会員情報受付部１１は会員情報を受付けると、会員情報の受け付けを完了したことを会員マイページ開設部１６へ報告し、会員マイページ開設部１６は、会員登録されたクリエイタの知財情報を登録するクリエイタごとの会員マイページを開設する。
【００８４】
そして、図６に示すように、知財情報登録要求受付部１２が、クリエイタ端末３より送られた知財情報の登録要求を受付ける（Ｓ３１）。
知財情報登録要求受付部１２が知財情報の登録要求を受付ける、引き続き知財情報登録要求受付部１２は受付けた登録要求に会員ＩＤが含まれているか否か、及び含まれている会員ＩＤが知財情報の登録が可能なクリエイタ端末３の会員ＩＤであるか否か、会員情報記憶部２１に記憶した会員情報を参照して判断を行う。そして、知財情報登録要求受付部１２は、知財情報の登録を許可する場合に、知財情報の登録受け付けを可能とする知財情報登録許可情報を発行し、知財情報登録許可情報送信部１７よりクリエイタ端末３へ送る（Ｓ３２）。なお、図示しないが、登録を許可しない場合は、前述した第一の例と同様、会員ＩＤの入力を伴った知財情報の再登録要求を求めるか、またはそのまま終了する。
【００８５】
次いで、知財情報登録許可情報送信部１７よりクリエイタ端末３へ送信した知財情報登録許可情報に応じ、知財情報受付・登録部１３が、クリエイタ端末３から送られた知財情報を受付けたか否か判断する（Ｓ３３）。
その結果、知財情報受付・登録部１３が知財情報を受付けた場合（Ｙ）は、先に受付けた会員ＩＤに基づき該当する会員マイページの登録領域内を検索し、先登録知財情報があるか否か判断する（Ｓ３４）。
その結果、先登録知財情報がある場合（Ｙ）は、知財情報受付・登録部１３が、受付けた知財情報に含まれる保存日時情報を抽出し、この保存日時に直近の保存日時を有する知財情報を検索する（Ｓ３５）。
次いで、知財情報受付・登録部１３は、この直近の保存日時を有する知財情報に含まれる識別情報を抽出する（Ｓ３６）。
引き続き、知財情報受付・登録部１３は、抽出して取得した識別情報を関連識別情報として受付けた知財情に含め、クリエイタごとに予め設けられた登録領域としての会員マイページに登録する（Ｓ３７）。
【００８６】
そして、知財情報受付・登録部１３は、会員情報と知財情報とを関連付けて知財情報記憶部２２に登録することで会員情報を更新する（Ｓ３９）。
一方、知財情報受付・登録部１３が先に知財情報を受付けていない場合（Ｎ）は、受付けた知財情報をクリエイタごとに予め設けられた登録領域としての会員マイページにそのまま登録する（Ｓ３８）。
また、知財情報受付・登録部１３は、その後、会員情報と知財情報とを関連付けて知財情報記憶部２２に登録することで会員情報を更新する（Ｓ３９）。
なお、その後の知財情報の閲覧要求における知的財産保護入支援装置１の動作は、前述した第一の例と同様の流れを示す。
【００８７】
これにより、登録領域としての会員マイページ内に登録された知財情報を関連識別情報に関連付けて時系列順に整理することができ、クリエイタが知財情報を創作した過程を証明することができる。しかも、後から保存日時情報や登録日時情報を改ざんしたとしても、関連識別情報に関連付けて整理すれば実際の創作順と異なるものとなり、不正な知財情報と判断することができるので、公開された最終知財情報だけを閲覧して無断で模倣等することが抑制され、知的財産の保護が支援されることになる。
【００８８】
また、クリエイタが保護を要求した知財情報が保護される第三の例は、たとえば図７に示すように行うことが出来る。図７は、知的財産保護支援方法の第三の例の流れを示すシーケンス図である。
まず、前述した第一の例と同様に、事前準備としてクリエイタは、クリエイタが利用するクリエイタ端末３より、本知的財産保護入支援システムを利用する会員となるための会員情報の入力を行い、知的財産保護支援装置１に対して送信する（ａ）。
次いで、知的財産保護支援装置１では、クリエイタ端末３より送信された会員情報を受け付け、所定の会員情報の開示がなされていることを条件に、その会員情報を所定の記憶部に登録する（ｂ）。
また、知的財産保護支援装置１では、会員情報の登録に応じて、個々の会員を識別するためにそれぞれ付与される固有の会員ＩＤを発行し、会員として登録されたクリエイタが利用するクリエイタ端末３へ会員ＩＤが発行・付与されたことを通知する（ｃ）。
さらに、知的財産保護支援装置１では、会員ＩＤの発行・付与に応じて、クリエイタ端末３より送信された知財情報を受け入れ、自分の知財情報だけを登録し、表示・閲覧といった管理ができる会員マイページを会員ごとに開設する（ｄ）。
【００８９】
そして、クリエイタが、クリエイタ端末３に先に保存されていた知財情報を利用して引き続きもしくは新たな知財情報を創作する場合は、クリエイタ端末３に保存されている所望の知財情報を表示する（５１）。
この時、クリエイタ端末３は、利用する知財情報の表示時にその固有の識別情報を取得する（５２）。
そして、クリエイタ端末３は、表示した知財情報を更新し、取得した識別情報を関連識別情報として、新たに創作された知財情報の識別情報及び更新保存日時情報と共に、更新・保存する知財情報に含めて保存する（５３）。
【００９０】
次に、以上ように構成された知的財産保護入支援システムにおいて、クリエイタが保護を要求した知財情報の閲覧がされる第一の例での閲覧者端末５の動作の一例を説明する。図８は、その流れを示すフローチャートである。
まず、閲覧実行部５１が、知的財産保護支援装置１に対して、会員ＩＤと共に知的財産保護支援装置１に登録されている知的財産情報の閲覧要求を送信する（Ｓ５１）。
閲覧実行部５１は、受付けた知的財産保護支援装置１より送られた知的財産情報を開示された知財情報を受信して所定のディスプレイ等に表示する（Ｓ５２）。知的財産情報の開示に伴って上記知財利用プログラムが実行される。
【００９１】
そして、閲覧実行部５１は、開示された知的財産情報の閲覧に伴って、かいじされた知財情報に対して印刷や編集といった処理があったか否か、たとえば印刷、編集、保存といったコマンドが閲覧者端末５のブラウザにより実行されたか否かを判定する（Ｓ５３）。
その結果、知的財産情報の利用があった場合（Ｙ）は、閲覧実行部５１は、図示しない端末の時計部を参照して、その時間情報を取得することにより、実行された処理の種類（編集、保存、印刷など）とその時間からなる利用情報を取得する（Ｓ５４）。
その後、閲覧実行部５１は、取得した利用情報を、取得後すぐにまたは所定時間ごともしくは所定時刻ごとに知的財産保護支援装置１へ送信し（Ｓ５５）、知的財産保護支援装置１に対して登録されている知的財産情報の閲覧要求を行なう閲覧者端末５での一連の動作は終了（エンド）する。
一方、知的財産情報の利用が無かった場合（Ｎ）は、そのまま閲覧者端末５での一連の動作は終了（エンド）する。
【００９２】
この先に保存されていた知財情報を利用して引き続きもしくは新たな知財情報を創作し、この知財情報に含まれる識別情報を関連識別情報として取得し、会員マイページへ登録した知財情報は、たとえば図１３に示すような形で表すことができる。図１３は、本発明の実施の形態に係る知的財産保護支援システムで先保存知財情報を利用して新たに創作した知財情報を登録した会員マイページへの表示の一例を示す図である。
この会員マイページ９０には、４つの知財情報９１（９１Ａ，９１Ｂ，９１Ｃ，９１Ｄ）が表示されている。また、これらの知財情報９１には、保存日時情報９２（９２Ａ，９２Ｂ，９２Ｃ，９２Ｄ）と識別情報９３（９３Ａ，９３Ｂ，９３Ｃ，９３Ｄ）とが含まれている。そして、これらの知財情報９１のうち第三の知財情報９１Ｃだけが、関連識別情報として利用した知財情報に含まれる識別情報９４Ｃが含まれている。
すなわち、この会員マイページ９０に表示されている第一の知財情報９１Ａは、２００５年２月１２日に、識別番号７ｆｃ５６２７０が付与され、利用した先登録知財情報が無い状態で保存されたことを示している。また、同第二の知財情報９１Ｂは、２００５年３月３日に、識別番号９ｄ５ｅｄ６７８が付与され、利用した先登録知財情報が無い状態で保存されたことを示している。また、同第三の知財情報７１Ｃは、２００５年３月２１日に、識別番号０ｄ６１ｆ８３７が付与され、利用した先登録知財情報９１Ｂに含まれる識別情報９ｄ５ｅｄ６７８を取得して保存されたことを示している。さらに、同第四の知財情報９１Ｄは、２００５年４月１６日に、識別番号ｆ６２３ｅ７５ａが付与され、利用した先登録知財情報が無い状態で保存されたことを示している。
【００９３】
したがって、この会員マイページ９０に表示されている知財情報９１は、第一の知財情報９１Ａ、第二の知財情報９１Ｂ、及び第四の知財情報９１Ｄはそれぞれ独立に創作され、第三の知財情報９１Ｃだけが第二の知財情報９１Ｂを利用して創作されたことが分かると共に、第二の知財情報９１Ｂ、第三の知財情報９１Ｃの順に創作された過程を証明することができる
【００９４】
その後、クリエイタは、発行・付与された会員ＩＤを利用し、更新知財情報を取得・保存したクリエイタ端末３からネットワークを通じて知的財産保護支援装置１に対して、その知財情報の登録を要求する（５４）。
【００９５】
知的財産保護支援装置１は、クリエイタ端末３から要求された更新知財情報の登録要求をネットワークを通じて受け付ける（５５）。
次いで、知的財産保護支援装置１は、受付けた更新知財情報の登録要求に応じ、ネットワークを通じて登録許可情報をクリエイタ端末３へ返信する（５６）。
クリエイタ端末３は、知的財産保護支援装置１からの登録許可情報の受け付け、これに応じて、登録保護を要求する保存された更新知財情報をネットワークを通じて送信し、登録を依頼する（５７）。
【００９６】
知的財産保護支援装置１は、クリエイタ端末３より送信された知財情報をネットワークを通じて受け付ける（５８）。
次いで、知的財産保護支援装置１は、受付けた更新知財情報をクリエイタごとに予め設けられた登録領域としての会員マイページに登録し、会員情報と知財情報とを関連付けて登録することで会員情報を更新する（５９）。
なお、その後の知財情報の閲覧要求は、前述した第一の例と同様の流れを示す。
【００９７】
以上のように構成した知的財産保護支援システムでは、創作事実証明、創作過程証明、電子スタンプ、営業秘密証明、通知証明といったサービスを提供することができる。
創作事実証明は、創作証明と創作過程証明からなり、クリエイタが自分の知財情報（コンテンツ等）を携帯電話機やパーソナルコンピュータ（以下、単に「ＰＣ」と称する）等のクリエイタ端末から知的財産保護支援装置へ気軽に次々と送信すると、知的財産保護支援装置（システム）側では、知財情報を登録した会員ＩＤ、登録日時と、知財情報とが関連付けて自動的に登録するものである。これにより、創作時に知財情報を知的財産保護支援装置へ送信し、登録しておくことで、創作した事実を証明できる。
また、この際、知財情報を識別情報に基づいて順次登録しておくことで、知財情報の創作経過を証明することもできる。
【００９８】
また、登録した知財情報を誰かに見せたい場合には、閲覧希望者に閲覧ＩＤを発行して自分の知財情報を安全に開示する。例えば、クリエイタが創作したデザインを、ＰＣから知的財産保護支援装置１に送信しておけば、その登録者ＩＤ、登録した知財情報、登録日時をシステム的に証明することができる。そして、相手が登録された知財情報を見たか、またダウンロードしたかなどのアクセスログを知的財産保護支援装置で自動的に記録することにより、万一、相手があなたのデザインを盗用しても、先にあなたがそのデザインを登録した事実を、相手がそれにアクセスしたログに基づいて閲覧証明書を発行し、相手を著作権侵害として責任を追及することができるものとなる。
【００９９】
電子スタンプは、クリエイタが、創作した知財情報のファイルを知的財産保護支援装置に送信すると、そのファイルにタイムスタンプを国家標準時刻に基づいて自動的に押すものである。この電子スタンプを後で検証することで、この知財情報を登録した日時をより正確に証明することができる。また、電子スタンプを押したファイルの内容が改変されると、知財情報のファイルに押されていた電子スタンプを検証しても無効となるため、知財情報が改変されたことを証明することができる。この電子スタンプサービスは、例えばアマノ株式会社が提供する国際標準に準拠したサービスとして提供することができる。
【０１００】
営業秘密証明は、設計図面やノウハウなどが記載された書面をやり取りする場合、その内容を登録しておくことで、やり取りした内容が営業秘密とて相手に渡したことを証明するものである。すなわち、著作権が成立しない図面、ノウハウ、営業上の情報などは、営業秘密として相手に開示しなければ、法的に守られない。その場合には、このシステムで営業秘密として登録することで、クリエイタが自ら権利を守ることができる。
【０１０１】
通知証明は、クリエイタが、自分の創作物を取り引きする際、その取引の内容や経緯を知的財産保護支援装置１に記録し、証明するものである。これにより、後で「約束が違う」ということをなくすことができる。
【０１０２】
また、以上のように構成した知的財産保護支援システムでの会員登録は、たとえば図１４に示すように行うことが出来る。図１４は、本発明の実施の形態に係る知的財産保護支援システムでの会員登録の画面の一例を示す図である。
図１４に示す会員登録画面１００は、クリエイタが知的財産保護支援装置１にアクセスし、会員登録を要求することによりクリエイタ端末３に表示されるものであり、氏名を入力するお名前欄１０１、氏名のふりがなをカタカナで入力するフリガナ欄１０２、性別を選択するチェックボックス１０３、生年月日を西暦で入力する生年月日欄１０４、自宅の住所を入力するご自宅住所欄１０５、電話番号を入力する電話番号欄１０６、電子メールのアドレスを入力するメールアドレス欄１０７、登録するパスワードを入力するパスワード登録欄１０８、職業の種類を選択する複数のチェックボックス１０９、会費の支払いを行なうクレジットカード番号とクレジットカード会社名を入力するクレジットカード情報欄１１０、クレジットカードの有効期限を入力する有効期限欄１１１、クレジットカードの所有者名を入力する名前欄１１２といった会員情報と共に、入力された会員情報の登録を申請する登録ボタン１１３、及び入力された会員情報の登録を取り止めるキャンセルボタン１１４を有する。
そして、上記各欄に入力した内容で会員登録を行なう場合は、登録ボタン１１３をクリックして選択し、また、会員登録を取り止める場合は、キャンセルボタン１１４をクリックして選択する。
【０１０３】
そして、登録ボタン１１３をクリックして選択することにより会員登録画面１００から会員情報の登録を申請すると、折り返し知的財産保護支援装置１から図１５に示すような会員登録通知が返送される。図１５は、本発明の実施の形態に係る知的財産保護支援システムでの会員登録後に送信される会員登録通知の画面の一例を示す図である。
図１５に示す会員登録通知画面１２０は、クリエイタが知的財産保護支援装置１に会員情報を送信し、会員登録を申請したことによりクリエイタ端末３に表示されるものであり、会員登録したことのお礼と、会員登録に伴って会員ＩＤ１２１が付与されたことを知らせる文章が含まれている。
【０１０４】
次に、会員登録完了後、クリエイタがこの知的財産保護支援システムを利用しようとして知的財産保護支援装置１へアクセスすると、たとえば図１６に示すようなシステム利用画面２００がクリエイタ端末３に表示される。図１６は、本発明の実施の形態に係る知的財産保護支援システムでの各種サービスの項目を示す画面の一例を示す図である。
図１６に示すシステム利用画面２００には、コンテンツを登録する項目２０１と、新規登録したコンテンツを確認する項目２０２と、登録コンテンツを一覧する項目２０３と、登録コンテンツへのアクセスログをみる項目２０４と、コンテンツを送信する＜友人に紹介する＞項目２０５と、会員のコンテンツをみる項目２０６が表示されている。
【０１０５】
そして、このシステム利用画面２００において、コンテンツを登録する項目２０１をクリックすることにより選択すると、たとえば図１７に示すようなコンテンツの新規登録第一画面３１０がクリエイタ端末３に表示される。図１７は、本発明の実施の形態に係る知的財産保護支援システムでのコンテンツの新規登録の第一画面の一例を示す図である。
新規登録第一画面３１０には、会員登録によって付与された会員ＩＤの入力を求める会員ＩＤ入力欄３１１と、コンテンツの新規登録を引き続き求める実行ボタン３１２と、コンテンツの新規登録を取り止めるキャンセルボタン３１３を有する。
【０１０６】
次に、新規登録第一画面３１０の会員ＩＤ入力欄３１１に会員ＩＤを入力し、実行ボタン３１２をクリックすることにより選択すると、たとえば図１８に示すようなコンテンツの新規登録第二画面３２０が引き続きクリエイタ端末３に表示される。図８７は、本発明の実施の形態に係る知的財産保護支援システムでのコンテンツの新規登録の第二画面の一例を示す図である。
新規登録第二画面３２０には、登録する知財情報が保存されているファイル名を入力するファイル名入力欄３２１と、登録する知財情報が保存されているファイルを参照するファイル参照ボタン３２２と、ファイル名入力欄３２１に入力された知財情報のファイルまたはファイル参照ボタン３２２より選択された知財情報のファイルを知的財産保護支援装置１へ送信するために添付する添付ボタン３２３と、コンテンツの新規登録を引き続き求める実行ボタン３２４と、コンテンツの新規登録を取り止めるキャンセルボタン３２５を有する。
【０１０７】
次いで、新規登録第二画面３２０のファイル名入力欄３２１に登録する知財情報のファイル名を入力し、添付ボタン３２３をクリックすることにより選択するか、またはファイル参照ボタン３２２をクリックして登録する知財情報のファイルを選択した後、添付ボタン３２３をクリックすることにより、ファイル名入力欄３２１に登録する知財情報のファイル名を表示させ、添付ボタン３２３をクリックすることにより選択し、実行ボタン３２４をクリックすることにより選択すると、たとえば図１９に示すようなコンテンツの新規登録第三画面３３０が引き続きクリエイタ端末３に表示される。図１９は、本発明の実施の形態に係る知的財産保護支援システムでのコンテンツの新規登録の第三画面の一例を示す図である。
【０１０８】
新規登録第三画面３３０には、知財情報を新規登録したことのお礼と、知財情報の登録日時３３１、登録受付ＩＤ３３２と、登録した知財情報の登録条件を編集することを求める編集ボタン３３３と、操作を終了することを求める終了ボタン３３４を有する。
次いで、新規登録第三画面３３０において編集ボタン３３３をクリックすることにより選択すると、たとえば図２０に示すようなコンテンツの新規登録第四画面３４０が引き続きクリエイタ端末３に表示される。図２０は、本発明の実施の形態に係る知的財産保護支援システムでのコンテンツの新規登録の第四画面の一例を示す図である。
この新規登録第四画面３４０には、新規登録した知財情報のジャンルを入力するジャンル入力欄３４１と、入力するジャンル例の表示を求めるジャンル参照ボタン３４２と、ジャンルを引き続き複数選択するための追加ボタン３４３と、コンテンツの新規登録に伴う編集を引き続き求める実行ボタン３４４と、コンテンツの編集を取り止めるキャンセルボタン３４５を有する。
【０１０９】
次いで、新規登録第四画面３４０のジャンル入力欄３４１に新規登録した知財情報のジャンルを入力し、実行ボタン３２４をクリックすることにより選択すると、たとえば図２１に示すようなコンテンツの新規登録第五画面３５０が引き続きクリエイタ端末３に表示される。図２１は、本発明の実施の形態に係る知的財産保護支援システムでのコンテンツの新規登録の第五画面の一例を示す図である。
この新規登録第五画面３５０には、新規登録した知財情報の公開レベルを選択する、「指定した会員のみ公開する」、「登録会員のみ公開する」、「一般会員に公開する」といった三つの公開レベル選択ボタン３５１と、コンテンツの新規登録に伴う編集を引き続き求める実行ボタン３５２と、コンテンツの編集を取り止めるキャンセルボタン３５３を有する。
【０１１０】
次いで、新規登録第五画面３５０において所望の公開レベル選択ボタン３５１を選択し、実行ボタン３５２をクリックすることにより選択すると、たとえば図２２に示すようなコンテンツの新規登録第六画面３６０が引き続きクリエイタ端末３に表示される。図２２は、本発明の実施の形態に係る知的財産保護支援システムでのコンテンツの新規登録の第六画面の一例を示す図である。
この新規登録第六画面３６０には、新規登録した知財情報の保護属性を指定する、「創作事実証明」、「電子スタンプ」、「電子公証」、「著作権登録」、「意匠登録出願」、「商標登録出願」、「特許申請」といった各種保護属性指定チェックボックス３６１と、コンテンツの新規登録に伴う編集を引き続き求める実行ボタン３６２と、コンテンツの編集を取り止めるキャンセルボタン３６３を有する。
【０１１１】
さらに、新規登録第六画面３６０において所望の保護属性指定チェックボックス３６１を選択し、実行ボタン３６２をクリックすることにより選択すると、たとえば図２３に示すようなコンテンツの新規登録第七画面３７０が引き続きクリエイタ端末３に表示される。図２３は、本発明の実施の形態に係る知的財産保護支援システムでのコンテンツの新規登録の第七画面の一例を示す図である。
この新規登録第七画面３７０には、作品のモチーフとなったものやキーワードを入力するキーワード入力欄３７１と、入力するキーワード例の表示を求めるキーワード参照ボタン３７２と、コンテンツの新規登録に伴う編集を完了する送信ボタン３７３と、コンテンツの編集を取り止めるキャンセルボタン３７４を有する。
そして、新規登録第七画面３７０において、キーワード入力欄３７１に所望のキーワードを入力し、送信ボタン３７３クリックすることにより選択すると、これによりコンテンツの新規登録に伴う編集が終了し、コンテンツの新規登録の一連の操作は完了する。
【０１１２】
次に、新規登録したコンテンツを確認する場合、図１６に示す本システム利用画面２００において、新規登録したコンテンツを確認する項目２０２をクリックすることにより選択すると、たとえば図２４に示すような新規登録コンテンツの確認第一画面４１０がクリエイタ端末３に表示される。図２４は、本発明の実施の形態に係る知的財産保護支援システムでの新規登録コンテンツの確認の第一画面の一例を示す図である。
確認第一画面４１０には、会員登録によって付与された会員ＩＤの入力を求める会員ＩＤ入力欄４１１と、コンテンツの新規登録を引き続き求める実行ボタン４１２と、コンテンツの新規登録を取り止めるキャンセルボタン４１３を有する。
【０１１３】
次に、確認第一画面４１０の会員ＩＤ入力欄４１１に会員ＩＤを入力し、実行ボタン４１２をクリックすることにより選択すると、たとえば図２５に示すような新規登録コンテンツの確認第二画面４２０が引き続きクリエイタ端末３に表示される。図２５は、本発明の実施の形態に係る知的財産保護支援システムでの新規登録コンテンツの確認の第二画面の一例を示す図である。
確認第二画面４２０には、前述したコンテンツの新規登録において設定登録した、コンテンツの画像４２１と、ジャンル４２２と、キーワード４２３と、保護属性４２４と、公開レベル４２５といった各情報の表示部と、登録した保護属性や公開レベルの内容変更を要求する変更ボタン４２６と、登録した内容を承認する確認ボタン４２７を有する。
この確認第二画面４２０において、新規登録操作において設定した各情報の登録内容の確認と、登録内容に誤りや不満があった場合にその変更を行うことが出来るものとなる。
【０１１４】
したがって、新規登録操作において設定した保護属性や公開レベルの登録内容に誤りや不満があった場合は、確認第二画面４２０において、変更ボタン４２６をクリックすることにより選択する。そうすると、たとえば図２６に示すような保護属性または公開レベルの変更画面４３０が引き続きクリエイタ端末３に表示される。図２６は、本発明の実施の形態に係る知的財産保護支援システムでの保護属性または公開レベルの変更の画面の一例を示す図である。
変更画面４３０には、新規登録において設定登録したコンテンツの画像４３１が表示されると共に、変更可能な情報として、保護属性変更チェックボックス４３２と、公開レベル変更ボタン４３３と、設定登録した内容を変更指示する変更ボタン４３４と、設定登録した内容を承認し、変更を取り止めるキャンセルボタン４３５が設けられている。
【０１１５】
次に、登録したコンテンツの一覧を確認する場合、図１６に示す本システム利用画面２００において、登録コンテンツを一覧する項目２０３をクリックすることにより選択すると、たとえば図２７に示すような登録コンテンツの一覧画面５１０がクリエイタ端末３に表示される。図２７は、本発明の実施の形態に係る知的財産保護支援システムでの登録コンテンツの一覧の画面の一例を示す図である。
登録コンテンツの一覧画面５１０には、今までに登録されたコンテンツの画像５１１（５１１−１，５１１−２・・・５１１−６）が表示されると共に、ジャンル、キーワード、保護属性、公開レベルといった各情報の設定登録表示部５１２（５１２−１，５１２−２・・・５１２−６）と、表示された登録コンテンツの画像及び設定登録情報を第三者へ送信することを指示する送信ボタン５１３（５１３−１，５１３−２・・・５１３−６）と、登録したコンテンツの一覧表示を取り止めるキャンセルボタン５１４（５１４−１，５１４−２・・・５１４−６）が設けられている。
また、この登録コンテンツの一覧画面５１０では、各情報の設定登録表示部５１２において、保護属性部分をクリックすると、図示しないが、保護属性の設定変更が可能な画面や、公開レベル部分をクリックすると、図示しないが、公開レベルの設定変更が可能な画面がそれぞれクリエイタ端末３に表示されるようになっている。
【０１１６】
次に、登録したコンテンツを閲覧したことを記憶するアクセスログをみる場合は、図１６に示す本システム利用画面２００において、登録コンテンツへのアクセスログをみる項目２０４をクリックすることにより選択する。そうすると、たとえば図２８に示すようなアクセスログの確認第一画面６１０がクリエイタ端末３に表示される。図２８は、本発明の実施の形態に係る知的財産保護支援システムでのアクセスログの確認の第一画面の一例を示す図である。
アクセスログの確認第一画面６１０には、会員登録によって付与された会員ＩＤの入力を求める会員ＩＤ入力欄６１１と、アクセスログの確認を引き続き求める実行ボタン６１２と、アクセスログの確認を取り止めるキャンセルボタン６１３を有する。
【０１１７】
次に、アクセスログの確認第一画面６１０の会員ＩＤ入力欄６１１に会員ＩＤを入力し、実行ボタン６１２をクリックすることにより選択すると、たとえば図２９に示すようなアクセスログの確認第二画面６２０が引き続きクリエイタ端末３に表示される。図２９は、本発明の実施の形態に係る知的財産保護支援システムでのアクセスログの確認の第二画面の一例を示す図である。
アクセスログの確認第二画面６２０には、例えば、アクセス番号とアクセス日時と閲覧人とコンテンツＩＤとクリエイタへのメッセージを表示する欄が設けられたアクセスログ一覧表６２１が表示されると共に、アクセスログの確認ボタン６２２が設けられている。また、このアクセスログ一覧表６２１における各アクセス番号表示欄部分は、メッセージを残した閲覧者へメッセージを返信する返信ボタンとなっている。
【０１１８】
したがって、メッセージを残した閲覧者へメッセージを返信する場合は、所望のアクセス番号表示欄部分をクリックすることにより選択する。そうすると、たとえば図３０に示すような返信画面６３０が引き続きクリエイタ端末３に表示される。図３０は、本発明の実施の形態に係る知的財産保護支援システムでのアクセスログの確認画面から返信する場合の返信画面の一例を示す図である。
この返信画面６３０は、メッセージを残した閲覧者へメッセージを入力するメッセージ欄６３１と、入力したメッセージを閲覧者へ返信することを指示する返信ボタン６３２と、メッセージを閲覧者へ返信することを取り止めるキャンセルボタン６３３を有する。
【０１１９】
次に、登録したコンテンツを友人等に紹介する目的で送信することを要求する場合は、図１６に示す本システム利用画面２００において、コンテンツを送信する項目２０５をクリックすることにより選択する。そうすると、たとえば図３１に示すようなコンテンツの送信画面７１０がクリエイタ端末３に表示される。図３１は、本発明の実施の形態に係る知的財産保護支援システムでのコンテンツ送信画面の一例を示す図である。
このコンテンツの送信画面７１０には、登録されているコンテンツの表示部７１１と、送信するコンテンツのＩＤを選択して入力する送信コンテンツＩＤ欄７１２と、コンテンツを送信する会員のＩＤを選択して入力する送信先会員ＩＤ欄７１３と、送信先会員へのコメントを入力するコメント欄７１４と、コンテンツの送信を指示する返信ボタン７１５と、コンテンツの送信を取り止めるキャンセルボタン７１６とを有する。
【０１２０】
したがって、登録したコンテンツを友人等に紹介する場合は、コンテンツの表示部７１１に表示されたコンテンツの中から、送信を希望するコンテンツを選んでそのＩＤを送信コンテンツＩＤ欄７１２に入力し、コンテンツの送信を希望する会員のＩＤを送信先会員ＩＤ欄７１３に入力し、送信先会員に対してコンテンツ等についてのコメントが何かあればコメント欄７１４に記入し、返信ボタン７１５のクリックを行なう。
【０１２１】
さらに、この知的財産保護支援システムを利用している会員の登録コンテンツを見ることを要求する場合は、図１６に示す本システム利用画面２００において、会員のコンテンツをみる項目２０６をクリックすることにより選択する。そうすると、たとえば図３２に示すような会員のコンテンツ確認第一画面８１０がクリエイタ端末３に表示される。図３２は、本発明の実施の形態に係る知的財産保護支援システムでの会員のコンテンツ確認の第一画面の一例を示す図である。
この会員のコンテンツ確認第一画面８１０は、会員登録によって付与された会員ＩＤの入力を求める会員ＩＤ入力欄８１１と、会員の登録コンテンツを見ることを引き続き求める実行ボタン８１２と、会員の登録コンテンツを見ることを取り止めるキャンセルボタン８１３を有する。
【０１２２】
次に、会員のコンテンツ確認第一画面８１０の会員ＩＤ入力欄８１１に会員ＩＤを入力し、実行ボタン８１２をクリックすることにより選択すると、たとえば図３３に示すような会員のコンテンツ確認第二画面８２０が引き続きクリエイタ端末３に表示される。図３３は、本発明の実施の形態に係る知的財産保護支援システムでの会員のコンテンツ確認の第二画面の一例を示す図である。
このコンテンツ確認第二画面８２０は、登録コンテンツを見ることを要求する会員のＩＤを入力する会員ＩＤ指定欄８２１と、入力する会員ＩＤの表示を求める会員ＩＤ参照ボタン８２２と、見ることを要求するジャンルを入力するジャンル入力欄８２３と、入力するジャンル例の表示を求めるジャンル参照ボタン８２４と、見ることを要求するコンテンツのキーワードを入力するキーワード入力欄８２５と、入力するキーワード例の表示を求めるキーワード参照ボタン８２６と、登録コンテンツを見ることを引き続き求める実行ボタン８２７と、登録コンテンツを見ることを取り止めるキャンセルボタン８２８を有する。
【０１２３】
したがって、他の会員の登録されたコンテンツを見ることを要求する場合は、所望の会員のＩＤを会員ＩＤ指定欄８２１に入力し、見ることを要求するコンテンツのジャンルをジャンル入力欄８２３に入力し、見ることを要求するコンテンツのキーワードをキーワード入力欄８２５に入力し、実行ボタン８２７のクリックを行なう。
そうすると、たとえば図３４に示すようなコンテンツ確認第三画面８３０が引き続きクリエイタ端末３に表示される。図３４は、本発明の実施の形態に係る知的財産保護支援システムでの会員のコンテンツ確認の第三画面の一例を示す図である。
このコンテンツ確認第三画面８３０は、登録されているコンテンツ番号表示部８３１（８３１−１，８３１−２・・・８３１−６）と、登録されているコンテンツの表示部８３２（８３２−１，８３２−２・・・８３２−６）と、クリエイタ端末３に表示されているコンテンツ確認第三画面８３０を閉じることを要求する閉じるボタン８３３とを有する。
また、このコンテンツ番号表示部８３１（８３１−１，８３１−２・・・８３１−６）は、コンテンツの詳細な情報が知りたい場合に、コンテンツが小さく表示されていればコンテンツを拡大したり、コンテンツの一部しか表示されていなければ全部を表示したりする詳細確認ボタンとなっている。
【０１２４】
したがって、コンテンツの詳細な情報が知りたい場合は、所望のコンテンツ番号表示部８３１をクリックすることにより選択する。そうすると、たとえば図３５に示すようなコンテンツ確認第四画面８４０が引き続きクリエイタ端末３に表示される。図３５は、本発明の実施の形態に係る知的財産保護支援システムでの会員のコンテンツ確認の第四画面の一例を示す図である。
このコンテンツ確認第四画面８４０は、コンテンツ番号表示部８３１をクリックすることにより、選択されたコンテンツ番号で示すコンテンツを拡大して表示することにより、コンテンツの詳細な情報が知られるようにしたものであり、拡大コンテンツ表示部８４１と、ジャンル、キーワード、保護属性、公開レベルといった各情報の設定登録表示部８４２と、表示されているコンテンツ確認第四画面８４０を閉じることを要求する閉じるボタン８４３とを有する。
このコンテンツ確認第四画面８４０により、コンテンツの詳細な情報を知ることが出来るものとなる。
【０１２５】
このように、本発明の知的財産保護入支援システムは、知的財産保護の対象となる知財情報の登録や保護、登録したコンテンツの開示を簡単に行うことが出来る
なお、本発明は上記実施形態に限らず、閲覧した知財情報が無断で模倣等不正な利用がされた場合に、予め登録しておいた所定の書式に従って警告書が自動的に生成・発行され、知財情報を閲覧した閲覧者が利用する閲覧者端末に対して送信されるようなオプションを付加しても良い。
また、その警告書を送付した相手先を特定できる情報（アドレス、名前）、送付した日時をログとして記憶するようにしてもよい。また相手からの回答データもあわせて所定の記憶部に記憶できるようにしてもよい。
さらに実際に交渉を行うための弁護士などのデータを所定の記憶部にデータベース化しておき、その中から所望の弁護士を選択して、事件の処理を依頼できるようにしてもよい。この場合、この弁護士等に対して、閲覧ＩＤを発行して、指定された弁護士だけが知財情報の閲覧ログや、交渉経過のログを見られるようにしておもよい。
またこのログを特定の人に公開するようにしてもよい。
【図面の簡単な説明】
【０１２６】
【図１】本発明の実施の形態に係る知的財産保護入支援方法を実施するためのシステムの一例を概略的に示す全体構成図である。
【図２】本発明の実施の形態に係る知的財産保護入支援システムの構成を簡略的に示すブロック図である。
【図３】本発明の実施の形態に係る知的財産保護支援方法の流れの一例を示すシーケンス図である。
【図４】本発明の実施の形態に係る知的財産保護支援システムに用いられる装置における流れの一例を示すフローチャート図である。
【図５】本発明の実施の形態に係る知的財産保護支援方法の流れの第二の例を示すシーケンス図である。
【図６】本発明の実施の形態に係る知的財産保護支援システムに用いられる装置における流れの第二例を示すフローチャート図である。
【図７】本発明の実施の形態に係る知的財産保護支援方法の流れの第三の例を示すシーケンス図である。
【図８】本発明の実施の形態に係る知的財産保護支援システムに用いられる閲覧者端末における流れの一例を示すフローチャート図である。
【図９】本発明の実施の形態に係る会員情報の一例を示す構成図である。
【図１０】本発明の実施の形態に係る知財情報の一例を示す構成図である。
【図１１】本発明の実施の形態に係る知的財産保護支援システムで登録した知財情報の会員マイページへの表示の一例を示す図である。
【図１２】本発明の実施の形態に係る知的財産保護支援システムで登録された知財情報を盗用した場合の知財情報の会員マイページへの表示の一例を示す図である。
【図１３】本発明の実施の形態に係る知的財産保護支援システムで先保存知財情報を利用して新たに創作した知財情報を登録した会員マイページへの表示の一例を示す図である。
【図１４】本発明の実施の形態に係る知的財産保護支援システムでの会員登録の画面の一例を示す図である。
【図１５】本発明の実施の形態に係る知的財産保護支援システムでの会員登録後に送信される会員登録通知の画面の一例を示す図である。
【図１６】本発明の実施の形態に係る知的財産保護支援システムでの各種サービスの項目を示す画面の一例を示す図である。
【図１７】本発明の実施の形態に係る知的財産保護支援システムでのコンテンツの新規登録の第一画面の一例を示す図である。
【図１８】本発明の実施の形態に係る知的財産保護支援システムでのコンテンツの新規登録の第二画面の一例を示す図である。
【図１９】本発明の実施の形態に係る知的財産保護支援システムでのコンテンツの新規登録の第三画面の一例を示す図である。
【図２０】本発明の実施の形態に係る知的財産保護支援システムでのコンテンツの新規登録の第四画面の一例を示す図である。
【図２１】本発明の実施の形態に係る知的財産保護支援システムでのコンテンツの新規登録の第五画面の一例を示す図である。
【図２２】本発明の実施の形態に係る知的財産保護支援システムでのコンテンツの新規登録の第六画面の一例を示す図である。
【図２３】本発明の実施の形態に係る知的財産保護支援システムでのコンテンツの新規登録の第七画面の一例を示す図である。
【図２４】本発明の実施の形態に係る知的財産保護支援システムでの新規登録コンテンツの確認の第一画面の一例を示す図である。
【図２５】本発明の実施の形態に係る知的財産保護支援システムでの新規登録コンテンツの確認の第二画面の一例を示す図である。
【図２６】本発明の実施の形態に係る知的財産保護支援システムでの保護属性または公開レベルの変更の画面の一例を示す図である。
【図２７】本発明の実施の形態に係る知的財産保護支援システムでの登録コンテンツの一覧の画面の一例を示す図である。
【図２８】本発明の実施の形態に係る知的財産保護支援システムでのアクセスログの確認の第一画面の一例を示す図である。
【図２９】本発明の実施の形態に係る知的財産保護支援システムでのアクセスログの確認の第二画面の一例を示す図である。
【図３０】本発明の実施の形態に係る知的財産保護支援システムでのアクセスログの確認画面から返信する場合の返信画面の一例を示す図である。
【図３１】本発明の実施の形態に係る知的財産保護支援システムでのコンテンツ送信画面の一例を示す図である。
【図３２】本発明の実施の形態に係る知的財産保護支援システムでの会員のコンテンツ確認の第一画面の一例を示す図である。
【図３３】本発明の実施の形態に係る知的財産保護支援システムでの会員のコンテンツ確認の第二画面の一例を示す図である。
【図３４】本発明の実施の形態に係る知的財産保護支援システムでの会員のコンテンツ確認の第三画面の一例を示す図である。
【図３５】本発明の実施の形態に係る知的財産保護支援システムでの会員のコンテンツ確認の第四画面の一例を示す図である。
【符号の説明】
【０１２７】
１・・・知的財産保護支援装置、３・・・クライアント端末、５・・・閲覧者（閲覧希望者）端末、１０・・・通信ネットワーク。
【図１】
2006313431.tif 000003
【図２】
2006313431.tif 000004
【図３】
2006313431.tif 000005
【図４】
2006313431.tif 000006
【図５】
2006313431.tif 000007
【図６】
2006313431.tif 000008
【図７】
2006313431.tif 000009
【図８】
2006313431.tif 000010
【図９】
2006313431.tif 000011
【図１０】
2006313431.tif 000012
【図１１】
2006313431.tif 000013
【図１２】
2006313431.tif 000014
【図１３】
2006313431.tif 000015
【図１４】
2006313431.tif 000016
【図１５】
2006313431.tif 000017
【図１６】
2006313431.tif 000018
【図１７】
2006313431.tif 000019
【図１８】
2006313431.tif 000020
【図１９】
2006313431.tif 000021
【図２０】
2006313431.tif 000022
【図２１】
2006313431.tif 000023
【図２２】
2006313431.tif 000024
【図２３】
2006313431.tif 000025
【図２４】
2006313431.tif 000026
【図２５】
2006313431.tif 000027
【図２６】
2006313431.tif 000028
【図２７】
2006313431.tif 000029
【図２８】
2006313431.tif 000030
【図２９】
2006313431.tif 000031
【図３０】
2006313431.tif 000032
【図３１】
2006313431.tif 000033
【図３２】
2006313431.tif 000034
【図３３】
2006313431.tif 000035
【図３４】
2006313431.tif 000036
【図３５】
2006313431.tif 000037